(57)【要約】【課題】スジの発生を抑制し、表示画像の視認性を向上させた表示装置を提供する。【解決手段】複数の画素を有する表示部と、前記複数の画素のそれぞれに設けられた、第１色の第１副画素、第２色の第２副画素、第３色の第３副画素、及び、第４色の第４副画素のうち、少なくとも３つと、前記第１副画素乃至第４副画素に入力信号を入力する制御部と、を有し、前記制御部は、前記表示部に、単一色の表示領域を複数隣り合って表示させる場合に、前記隣り合う表示領域の境界部に含まれる画素では、前記単一色に寄与しない副画素を中間調で点灯させるための信号を入力する、表示装置に関する。【選択図】図１０
2017181983.tif 000002
【特許請求の範囲】
【請求項１】
複数の画素を有する表示部と、
前記複数の画素のそれぞれに設けられた、第１色の第１副画素、第２色の第２副画素、第３色の第３副画素、及び、第４色の第４副画素のうち、少なくとも３つと、
前記第１副画素乃至第４副画素に入力信号を入力する制御部と、
を有し、
前記制御部は、前記表示部に、単一色の表示領域を複数隣り合って表示させる場合に、前記隣り合う表示領域の境界部に含まれる画素では、前記単一色に寄与しない副画素を中間調で点灯させるための信号を入力する、
表示装置。
【請求項２】
前記制御部は、前記隣り合う表示領域の境界部に含まれる画素では、前記単一色に寄与する副画素を中間調で点灯させるための信号を入力する、請求項１に記載の表示装置。
【請求項３】
前記制御部は、前記隣り合う表示領域の境界部に含まれる画素では、前記単一色に寄与する副画素を全点灯させ、前記単一色に寄与しない、白色を表示する副画素を中間調で点灯させるための信号を入力する、請求項１に記載の表示装置。
【請求項４】
前記隣り合う表示領域の境界部のうち、一つの表示領域のみの副画素に中間調を点灯させるための信号を入力する、請求項１乃至請求項３のいずれか一項に記載の表示装置。
【請求項５】
前記複数の表示領域が表示する単一色は原色である、請求項１乃至請求項４のいずれか一項に記載の表示装置。
【請求項６】
前記複数の表示領域が表示する単一色は原色の補色である、請求項１乃至請求項４のいずれか一項に記載の表示装置。
【請求項７】
前記複数の表示領域が表示する単一色は原色及びその補色である、請求項１乃至請求項４のいずれか一項に記載の表示装置。
【請求項８】
前記境界部は、隣の表示領域に一番近い画素行又は画素列である、請求項１乃至請求項７のいずれか一項に記載の表示装置。
【発明の詳細な説明】
【技術分野】
【０００１】
本発明は、表示装置に関する。
【背景技術】
【０００２】
近年、液晶表示パネルや有機エレクトロルミネッセンス発光を用いた有機ＥＬディスプレイパネル（ＯＬＥＤ：Ｏｒｇａｎｉｃ  Ｅｌｅｃｔｒｏ−Ｌｕｍｉｎｅｓｃｅｎｃｅ  Ｄｉｓｐｌａｙ）を用いた表示装置の需要が高くなっている（例えば、特許文献１）。表示装置では、１つの画素が複数の副画素を備え、当該複数の副画素がそれぞれ異なる色の光を出力し、当該副画素の色を組み合わせることで、１つの画素で種々の色を表示させる（例えば、特許文献２乃至特許文献５）。
【先行技術文献】
【特許文献】
【０００３】
【特許文献１】特開２００８−０５１９０５号公報
【特許文献２】特開２００５−８４５１３号公報
【特許文献３】特開２００５−３１６１６９号公報
【特許文献４】特開２００３−１３１６５３号公報
【特許文献５】特開２０１０−３３０１４号公報
【発明の概要】
【発明が解決しようとする課題】
【０００４】
単一色の表示領域を、複数隣り合って表示させると、表示領域の境界に黒いスジあるいは明るいスジが表示されることがある。当該境界に表示されるスジは、画素配列に起因するものである。
【０００５】
当該境界の画素では、当該単一色の表示に寄与する副画素は点灯するが、寄与しない副画素は点灯しない。そのため、当該単一色の表示に寄与する副画素が離れている場合は、点灯しない領域が黒いスジとして視認されてしまう。逆に、当該単一色の表示に寄与する副画素が近い場合、より具体的には隣接している場合は、異なる単一色が混色され、明るいスジとして視認されてしまう。
【０００６】
開示される発明の一態様では、上記課題を鑑み、当該表示領域のスジの発生を抑制する。これにより、表示画像の視認性を向上させた表示装置を提供できる。
【課題を解決するための手段】
【０００７】
開示される発明の一態様は、複数の画素を有する表示部と、前記複数の画素のそれぞれに設けられた、第１色の第１副画素、第２色の第２副画素、第３色の第３副画素、及び、第４色の第４副画素のうち、少なくとも３つと、前記第１副画素乃至第４副画素に入力信号を入力する制御部と、を有し、前記制御部は、前記表示部に、単一色の表示領域を複数隣り合って表示させる場合に、前記隣り合う表示領域の境界部に含まれる画素では、前記単一色に寄与しない副画素を中間調で点灯させるための信号を入力する、表示装置に関する。
【図面の簡単な説明】
【０００８】
【図１】図１は、実施の形態１を説明する図である。
【図２】図２は、実施の形態１を説明する図である。
【図３】図３は、実施の形態１を説明する図である。
【図４】図４は、実施の形態１を説明する図である。
【図５】図５は、実施の形態１を説明する図である。
【図６】図６は、実施の形態１を説明する図である。
【図７】図７は、実施の形態１を説明する図である。
【図８】図８は、実施の形態１を説明する図である。
【図９】図９は、実施の形態１を説明する図である。
【図１０】図１０は、実施の形態１を説明する図である。
【図１１】図１１は、実施の形態１を説明する図である。
【図１２】図１２は、実施の形態１の変形例１を説明する図である。
【図１３】図１３は、実施の形態１の変形例１を説明する図である。
【図１４】図１４は、実施の形態１の変形例２を説明する図である。
【図１５】図１５は、実施の形態１の変形例２を説明する図である。
【図１６】図１６は、実施の形態１の変形例３を説明する図である。
【図１７】図１７は、実施の形態１の変形例３を説明する図である。
【図１８】図１８は、実施の形態２を説明する図である。
【図１９】図１９は、実施の形態２を説明する図である。
【図２０】図２０は、実施の形態３を説明する図である。
【図２１】図２１は、実施の形態３を説明する図である。
【図２２】図２２は、実施の形態４を説明する図である。
【図２３】図２３は、実施の形態４を説明する図である。
【図２４】図２４は、実施の形態４の変形例を説明する図である。
【図２５】図２５は、実施の形態５を説明する図である。
【図２６】図２６は、実施の形態５を説明する図である。
【図２７】図２７は、実施の形態６を説明する図である。
【図２８】図２８は、実施の形態６を説明する図である。
【図２９】図２９は、実施の形態１を説明する図である。
【図３０】図３０は、実施の形態１の変形例４を説明する図である。
【図３１】図３１は、実施の形態１の変形例４を説明する図である。
【図３２】図３２は、実施の形態４の変形例を説明する図である。
【発明を実施するための形態】
【０００９】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施の形態１）
実施の形態１を、図１、図２、図３、図４、図５、図６、図７、図８、図９、図１０、図１１を用いて説明する。
【００１１】
（表示装置の全体構成）
図１は、実施の形態１に係る表示装置の構成の一例を示すブロック図である。図１に示すように、本実施形態の表示装置１０は、制御部２０と、画像表示パネル駆動部３０と、画像表示パネル４０と、光源駆動部５０と、光源部６０とを有する。制御部２０は、画像出力部１１からの入力信号（ＲＧＢデータ）が入力され、入力信号に所定のデータ変換処理を加えて生成した信号を表示装置１０の各部に送る。画像表示パネル駆動部３０は、制御部２０からの信号に基づいて画像表示パネル４０の駆動を制御する。光源駆動部５０は、制御部２０からの信号に基づいて光源部６０の駆動を制御する。光源部６０は、光源駆動部５０の信号に基づいて画像表示パネル４０を背面から照明する。画像表示パネル４０は、画像表示パネル駆動部３０からの信号及び光源部６０からの光により画像を表示させる。
【００１２】
（画像表示パネルの構成）
次いで、画像表示パネル４０の構成について説明する。図２は、実施の形態１に係る画像表示パネル４０の概念図である。図３は、実施の形態１に係る副画素の配列を示す模式図である。図１、図２及び図３に示すように、画像表示パネル４０は、画素４８が、Ｘ方向及びＹ方向に、２次元のマトリクス状にＰ０×Ｑ０個配列されている表示部４３を有する。ここで、Ｘ方向とは、画像表示パネル４０に表示される画像の行方向である。また、Ｙ方向とは、Ｘ方向に直交する方向であり、画像表示パネル４０に表示される画像の列方向である。ただし、これに限られず、Ｘ方向が画像の列方向であってＹ方向が画像の行方向であってもよい。
【００１３】
図２及び図３に示すように、画素４８は、第１副画素４９Ｒと、第２副画素４９Ｇと、第３副画素４９Ｂと、第４副画素４９Ｗとを有する。第１副画素４９Ｒは、第１色（例えば、第１原色、さらに例えば、赤色）を表示する。第２副画素４９Ｇは、第２色（例えば、第２原色、さらに例えば、緑色）を表示する。第３副画素４９Ｂは、第３色（例えば、第３原色、さらに例えば、青色）を表示する。第４副画素４９Ｗは、第４色（例えば、白色）を表示する。第１色、第２色、第３色及び第４色は、赤色、緑色、青色及び白色に限られず、補色などでもよく、互いに色が異なっていればよい。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも輝度が高いことが好ましい。以下において、第１副画素４９Ｒと、第２副画素４９Ｇと、第３副画素４９Ｂと、第４副画素４９Ｗとをそれぞれ区別する必要がない場合、副画素４９という。また、副画素の配列する位置を区別して記載する場合、例えば画素４８（ｐ，ｑ）の第４副画素を、第４副画素４９Ｗ（ｐ，ｑ）と記載する。
【００１４】
図３に示すように、画素４８は、２行２列で配置される４つの副画素４９を有する。当該４つの副画素４９は、同一形状同一面積である。この４つの副画素４９は、それぞれ、第１副画素４９Ｒと、第２副画素４９Ｇと、第３副画素４９Ｂと、第４副画素４９Ｗである。このように２行２列の副画素を１つの画素とする構成を、本実施の形態ではスクエア画素（ＳＱ画素）と呼ぶ。本実施の形態では、画素４８内の左上、右上、左下、右下の順に、第１副画素４９Ｒ、第２副画素４９Ｇ、第３副画素４９Ｂ、第４副画素４９Ｗが配置される。
【００１５】
（画像表示パネル駆動部の構成）
図１及び図２に示すように、画像表示パネル駆動部３０は、信号線駆動回路３１及び走査線駆動回路３２を有する。画像表示パネル駆動部３０は、信号線駆動回路３１によって映像信号（画像情報）を保持し、順次、画像表示パネル４０に出力する。より詳しくは、信号線駆動回路３１は、制御部２０からの出力信号に応じた所定の電位（階調）を有する画像出力信号を、画像表示パネル４０に出力する。信号線駆動回路３１は、信号線ＤＴＬによって画像表示パネル４０と電気的に接続されている。走査線駆動回路３２は、画像表示パネル４０における副画素４９の動作（光透過率）を制御するためのスイッチング素子（例えば、薄膜トランジスタ（ＴＦＴ））のオン及びオフを制御する。走査線駆動回路３２は、走査線ＳＣＬによって画像表示パネル４０と電気的に接続されている。
【００１６】
（光源駆動部及び光源部の構成）
光源駆動部５０は、光源部６０から出力する光の光量等を制御する。具体的には、光源駆動部５０は、制御部２０から出力される光源駆動信号ＳＢＬに基づいて、光源部６０に供給する電圧等をＰＷＭ（Pulse  Width  Modulation）等で調整することで、画像表示パネル４０に照射する光の光量（光の強度）を制御する。
【００１７】
光源部６０は、画像表示パネル４０の背面あるいは前面に配置され、画像表示パネル４０に向けて光を照射することで、画像表示パネル４０を照明する。
【００１８】
図４に、表示部４３に、異なる単一色の表示領域４５ａ及び４５ｂを平面視で左右に隣り合って表示させた例を示す。図４においては、例えば、表示領域４５ａでは赤色を表示させ、表示領域４５ｂでは緑色を表示させる。なお、本明細書では、左右に隣り合う複数の表示領域において、隣の表示領域に一番近い画素列を境界部４６とする。
【００１９】
また、本実施の形態では、異なる単一色の表示領域を平面視で左右に隣り合って表示させた例について説明しているが、本発明はこれに限定されない。異なる単一色の表示領域は、平面視で上下に隣り合って表示させてもよい。なお、複数の表示領域が上下に隣り合う場合においては、隣の表示領域に一番近い画素行を境界部４６とする。
【００２０】
さらに、本実施の形態では、単一色の表示領域を２つ隣り合わせた例について説明しているが、３つ以上の単一色の表示領域を隣り合わせた場合についても適用可能である。
【００２１】
表示領域４５ａ及び４５ｂの境界部４６において、表示領域４５ａ側はＳ列目の画素４８（Ｓ，ｑ）、表示領域４５ｂ側は（Ｓ＋１）列目の画素４８（Ｓ＋１，ｑ）が隣り合っているものとする（ただし、Ｓは１以上かつ（Ｐ０−１）以下の整数）（図５参照）。例えば、境界部４６のｑ行目においては、表示領域４５ａ側では画素４８（Ｓ，ｑ）のうち第１画素４９Ｒ（Ｓ，ｑ）が点灯しており、表示領域４５ｂ側では画素４８（Ｓ＋１，ｑ）のうち第２画素４９Ｇ（Ｓ＋１，ｑ）が点灯している。
【００２２】
図５に示すように、点灯する画素４８（Ｓ，ｑ）の第１副画素４９Ｒ（Ｓ，ｑ）、及び、画素４８（Ｓ＋１，ｑ）の第２副画素４９Ｇ（Ｓ＋１，ｑ）の間には、画素４８（Ｓ，ｑ）の第２副画素４９Ｇ（Ｓ，ｑ）、及び、画素４８（Ｓ＋１，ｑ）の第１副画素４９Ｒ（Ｓ＋１，ｑ）が配置されている。当該点灯する副画素４９の間に配置される、画素４８（Ｓ，ｑ）の第２副画素４９Ｇ（Ｓ，ｑ）、及び、画素４８（Ｓ＋１，ｑ）の第１副画素４９Ｒ（Ｓ＋１，ｑ）は点灯しない。さらに、画素４８（Ｓ，ｑ）の第３副画素４９Ｂ（Ｓ，ｑ）及び第４副画素４９Ｗ（Ｓ，ｑ）、並びに、画素４８（Ｓ＋１，ｑ）の第３副画素４９Ｂ（Ｓ＋１，ｑ）及び第４副画素４９Ｗ（Ｓ＋１，ｑ）も点灯しない。このような点灯しない副画素４９は、異なる単一色が隣り合う境界部４６で、黒いスジ４１として視認される恐れがある（図６参照）。
【００２３】
図７では、図４とは逆に、隣り合う表示領域４５ｃ及び４５ｄにおいて、表示領域４５ｃでは緑色を表示させ、表示領域４５ｄでは赤色を表示させた例を示す。
【００２４】
表示領域４５ｃ及び４５ｄの境界部４６において、表示領域４５ｃ側はＴ列目の画素４８（Ｔ，ｑ）、表示領域４５ｄ側は（Ｔ＋１）列目の画素４８（Ｔ＋１，ｑ）が隣り合っているものとする（ただし、Ｔは１以上、（Ｐ０−１）以下の整数）（図８参照）。例えば、境界部４６のｑ行目においては、表示領域４５ｃ側では画素４８（Ｔ，ｑ）のうち第２副画素４９Ｇ（Ｔ，ｑ）が点灯しており、表示領域４５ｄ側では画素４８（Ｔ＋１，ｑ）のうち第１副画素４９Ｒ（Ｔ＋１，ｑ）が点灯している。
【００２５】
図８に示すように、点灯する画素４８（Ｔ，ｑ）の第２副画素４９Ｇ（Ｔ，ｑ）、及び、画素４８（Ｔ＋１，ｑ）の第２副画素４９Ｒ（Ｔ＋１，ｑ）は、隣り合って配置されている。さらに、隣り合って点灯する副画素の反対側の副画素、例えば、画素４８（Ｔ，ｑ）の第２副画素４９Ｇ（Ｔ，ｑ）に対しては、画素４８（Ｔ，ｑ）の第１副画素４９Ｒ（Ｔ，ｑ）は点灯していない。同様に、画素４８（Ｔ＋１，ｑ）の第１副画素４９Ｒ（Ｔ＋１，ｑ）に対しては、画素４８（Ｔ＋１，ｑ）の第２副画素４９Ｇ（Ｔ＋１，ｑ）は点灯していない。このように、隣り合って点灯する副画素４９のさらに隣の副画素４９は点灯しておらず、点灯する副画素４９が強調されてしまう。
【００２６】
また、点灯する副画素４９がそれぞれ単一色であるため、例えば上述のように、赤色と緑色の副画素４９が隣り合って点灯すると、赤色と緑色が混色され明るく視認されてしまう。
【００２７】
このように点灯する副画素４９が隣り合っている場合には、単一色が隣り合う境界部４６で、明るいスジ４２が視認される恐れがある（図９参照）。
【００２８】
なお、図４乃至図９では、赤色及び緑色の表示領域を隣り合って表示させた例を示したが、高階調の原色（赤色、緑色、青色）のいずれかを隣り合って表示させた場合、原色の補色となる色同士、すなわち、シアン（Ｃ）、マゼンダ（Ｍ）、イエロー（Ｙ）のいずれかを隣り合って表示させた場合、あるいは、互いに補色となる色同士を隣り合って表示させた場合に起こり得る。
【００２９】
以上のように、異なる単一色の表示領域を隣り合って表示させた場合、点灯する副画素の間に点灯しない副画素が配置されている場合は黒いスジが発生し、点灯する副画素同士が隣り合っている場合は明るいスジが発生する。
【００３０】
上述したスジの発生を抑制するために、本実施の形態では、表示される単一色に寄与しない副画素を中間調で点灯させる。さらに、表示される単一色に寄与する副画素も中間調で点灯させる。
【００３１】
図１０に、図４乃至図６に示した表示装置において、境界部４６の副画素のうち、表示される単一色に寄与しない、すなわち、本来点灯しない副画素を中間調で点灯させた例を示す。図１０では、表示領域４５ａ及び４５ｂの境界部４６において、表示領域４５ａ側はＫ列目の画素４８（Ｋ，ｑ）、表示領域４５ｂ側は（Ｋ＋１）列目の画素４８（Ｋ＋１，ｑ）が隣り合っているものとする（ただし、Ｋは２以上、（Ｐ０−２）以下の整数）。
【００３２】
例えば、境界部４６のｑ行目では、表示領域４５ａ側の画素４８（Ｋ，ｑ）の第２副画素４９Ｇ（Ｋ，ｑ）は、図５では点灯していないが、これを中間調で点灯させる。さらに、画素４８（Ｋ，ｑ）の第３副画素４９Ｂ（Ｋ，ｑ）は、図５では点灯していないが、これを中間調で点灯させる。
【００３３】
また、表示領域４５ｂ側の画素４８（Ｋ＋１，ｑ）の第１副画素４９Ｒ（Ｋ＋１，ｑ）は、図５では点灯していないが、これを中間調で点灯させる。画素４８（Ｋ＋１，ｑ）の第３副画素４９Ｂ（Ｋ＋１，ｑ）は、図５では点灯していないが、これを中間調で点灯させる。
【００３４】
さらに、表示領域４５ａ側の画素４８（Ｋ，ｑ）の第１副画素４９Ｒ（Ｋ，ｑ）は、図５では全点灯して単一色である赤色を表示しているが、これを中間調で点灯させる。一方、表示領域４５ｂ側の画素４８（Ｋ＋１，ｑ）の第２副画素４９Ｇ（Ｋ＋１，ｑ）は、図５では全点灯して単一色である緑色を表示しているが、これを中間調で点灯させる。
【００３５】
つまり、境界部４６で隣り合う画素４８（Ｋ，ｑ）及び画素４８（Ｋ＋１，ｑ）では、本来点灯しない、第２副画素４９Ｇ（Ｋ，ｑ）、第３副画素４９Ｂ（Ｋ，ｑ）、第１副画素４９Ｒ（Ｋ＋１，ｑ）、第３副画素４９Ｂ（Ｋ＋１，ｑ）を中間調で点灯させる。さらに、本来全点灯させる、第１副画素４９Ｒ（Ｋ，ｑ）及び第２副画素４９Ｇ（Ｋ＋１，ｑ）を中間調で点灯させる。
【００３６】
以上により、境界部４６の副画素４９を中間調で点灯させるため、境界部の輝度変化が緩和される。
【００３７】
一方、境界部４６に含まれない画素４８、例えば、表示領域４５ａでは、画素４８（Ｋ，ｑ）に隣接する、画素４８（Ｋ−１，ｑ）は、図５と同様に点灯する。すなわち、画素４８（Ｋ−１，ｑ）の第１副画素４９Ｒ（Ｋ−１，ｑ）は全点灯させ、第２副画素４９Ｇ（Ｋ−１，ｑ）及び第３副画素４９Ｂ（Ｋ−１，ｑ）は点灯させない。同様に、表示領域４５ｂでは、画素４８（Ｋ＋１，ｑ）に隣接する、画素４８（Ｋ＋２，ｑ）は、図５と同様に点灯する。すなわち、画素４８（Ｋ＋２，ｑ）の第２副画素４９Ｇ（Ｋ＋２，ｑ）は全点灯させ、第１副画素４９Ｒ（Ｋ＋２，ｑ）及び第３副画素４９Ｂ（Ｋ＋２，ｑ）は点灯させない。
【００３８】
境界部４６の画素４８、並びに、境界部４６に含まれない画素であり、境界部４６に隣接する画素４８との間においても、輝度変化は緩和される。例えば、表示領域４５ａにおいて、境界部４６の画素４８（Ｋ，ｑ）と、画素４８（Ｋ，ｑ）に隣接する画素４８（Ｋ−１，ｑ）では、画素４８（Ｋ，ｑ）が中間調で点灯され、画素４８（Ｋ−１，ｑ）は単一色が点灯される。より詳細には、画素４８（Ｋ，ｑ）の第１副画素４９Ｒ（Ｋ，ｑ）は中間調で点灯され、画素４８（Ｋ−１，ｑ）の第２副画素４９Ｇ（Ｋ−１，ｑ）は点灯しない。隣接する第１副画素４９Ｒ（Ｋ，ｑ）及び第２副画素４９Ｇ（Ｋ−１，ｑ）は、それぞれ、中間調点灯と無点灯であるので、輝度変化は緩やかである。
【００３９】
なお、図１０では、第４副画素４９Ｗはいずれも点灯しない。
【００４０】
これにより、境界部４６における輝度の変化、並びに、境界部と境界部以外の表示領域の輝度の変化が緩和され、黒いスジが視認されなくなる。
【００４１】
このように、点灯していなかった副画素が中間調で点灯され、さらに全点灯していた副画素も中間調で点灯されるため、輝度の変化が緩和され、スジが視認されることがなくなる。以上のようにして、表示画像の視認性を向上させることができる。
【００４２】
下記に副画素を中間調で点灯させる方法について示す。画素４８内の副画素４９に中間調を点灯させるためには、サブピクセルレンダリング処理を行う。サブピクセルレンダリング処理は、サブピクセル（副画素）単位で表示駆動を行い、同一の画素４８に属する各副画素４９の入力信号を変化させる処理である。以下、サブピクセルレンダリング処理を、適宜、レンダリング処理と記載する。
【００４３】
画像表示パネル４０の各画素には、画像表示パネル駆動部３０を介して、制御部２０から入力信号が入力される。具体的には、制御部２０から画像表示パネル駆動部３０へ、第（ｐ，ｑ）番目の画素４８（ｐ，ｑ）（但し、１≦ｐ≦Ｐ０，１≦ｑ≦Ｑ０）に対して、信号値がＸ１＿（ｐ，ｑ）の第１副画素４９Ｒ（ｐ，ｑ）の入力信号、信号値がＸ２＿（ｐ，ｑ）の第２副画素４９Ｇ（ｐ，ｑ）の入力信号、及び、信号値がＸ３＿（ｐ，ｑ）の第３副画素４９Ｂ（ｐ，ｑ）の入力信号が含まれる信号が入力される。さらに、信号値がＸ４−（ｐ，ｑ）の第４副画素４９Ｗ（ｐ，ｑ）の入力信号が含まれる信号が入力される。
【００４４】
第１副画素４９Ｒ（ｐ，ｑ）の入力信号は、第１副画素４９Ｒ（ｐ，ｑ）に第１色（例えば赤色）を表示させるための信号である。第２副画素４９Ｇ（ｐ，ｑ）の入力信号は、第２副画素４９Ｇ（ｐ，ｑ）に第２色（例えば緑色）を表示させるための信号である。第３副画素４９Ｂ（ｐ，ｑ）の入力信号は、第３副画素４９Ｂ（ｐ，ｑ）に第３色（例えば青色）を表示させるための信号である。また、第４副画素４９Ｗ（ｐ，ｑ）の入力信号は、第４副画素４９Ｗ（ｐ，ｑ）に第４色（例えば白色）を表示させるための信号である。
【００４５】
制御部２０から出力され、画像表示パネル駆動部３０に入力された入力信号は、さらに、画像表示パネル駆動部３０から出力され、画像表示パネル４０の各画素に入力される。画像表示パネル駆動部３０への当該入力信号は、画像表示パネル駆動部３０で処理され、出力される際に信号値が変化する可能性がある。そこで、第１副画素４９Ｒ（ｐ，ｑ）に入力される入力信号の信号値を、入力信号値ｘ１＿（ｐ，ｑ）とする。同様に、第２副画素４９Ｇ（ｐ，ｑ）の入力信号の信号値を入力信号値ｘ２＿（ｐ，ｑ）、第３副画素４９Ｂ（ｐ，ｑ）の入力信号の信号値を入力信号値ｘ３＿（ｐ，ｑ）、第４副画素４９Ｗ（ｐ，ｑ）の入力信号の信号値を入力信号値ｘ４＿（ｐ，ｑ）とする。
【００４６】
図１１（Ａ）は、図１０の境界部４６付近のｑ行目の画素の拡大図である。図１１（Ａ）は、紙面左側から、表示領域４５ａにおける、境界部４６に含まれない画素４８（Ｋ−１，ｑ）、境界部４６の画素４８（Ｋ，ｑ）、並びに、表示領域４５ｂにおける、境界部４６の画素４８（Ｋ＋１，ｑ）、境界部４６に含まれない画素４８（Ｋ＋２，ｑ）における、それぞれの副画素の入力信号値を示している。
【００４７】
例えば、図１１（Ａ）の画素４８（Ｋ−１，ｑ）内に記載されている数字２５５は、第１副画素４９Ｒ（Ｋ−１，ｑ）の入力信号値ｘ１＿（Ｋ−１，ｑ）が、２５５であることを示している。同様に、第２副画素４９Ｇ（Ｋ−１，ｑ）の入力信号値ｘ２＿（Ｋ−１，ｑ）は０であることを示す。なお、本実施の形態１では、表示階調ビット数を８ビット（表示階調の値を０から２５５の２５６階調）とする。このため、入力信号値ｘは、０から２５５までの整数値をとる。副画素４９を全点灯させるには、入力信号値ｘ「２５５」を入力する。一方、副画素４９を無点灯（消灯）するには、入力信号値ｘ「０」を入力する。
【００４８】
入力信号値ｘ１＿（Ｋ−１，ｑ）「２５５」が入力される第１副画素４９Ｒ（Ｋ−１，ｑ）は、全点灯する。一方、入力信号値ｘ２＿（Ｋ−１，ｑ）「０」が入力される第２副画素４９Ｇ（Ｋ−１，ｑ）は、無点灯（消灯）である。
【００４９】
なお、図１１（Ａ）において、第４副画素４９Ｗは無点灯である。このため、任意の第４副画素４９Ｗ（ｐ，ｑ）に入力される入力信号値ｘ４＿（ｐ，ｑ）は０である。
【００５０】
図１１（Ａ）に示す例では、境界部４６の表示領域４５ａ側第１副画素４９Ｒ（Ｋ，ｑ）の入力信号値ｘ１＿（Ｋ，ｑ）は２２０、第２副画素４９Ｇ（Ｋ，ｑ）の入力信号値ｘ２＿（Ｋ，ｑ）は６４、第３副画素４９Ｂ（Ｋ，ｑ）の入力信号値ｘ３＿（Ｋ，ｑ）は６４である。入力信号値ｘ１＿（Ｋ，ｑ）「２２０」が入力される第１副画素４９Ｒ（Ｋ，ｑ）は、無点灯から全点灯の間である中間調の輝度で点灯させる。入力信号値ｘ２＿（Ｋ，ｑ）「６４」が入力される第２副画素４９Ｇ（Ｋ，ｑ）は、中間調の輝度で点灯させる。入力信号値ｘ３＿（Ｋ，ｑ）「６４」が入力される第３副画素４９Ｂ（Ｋ，ｑ）は、中間調の輝度で点灯させる。
【００５１】
このように、境界部４６の画素４８（Ｋ，ｑ）の副画素である、第１副画素４９Ｒ（Ｋ，ｑ）、第２副画素４９Ｇ（Ｋ，ｑ）、及び第３副画素４９Ｂ（Ｋ，ｑ）に、中間調の輝度で点灯させる入力信号値ｘを入力することにより、第１副画素４９Ｒ（Ｋ，ｑ）、第２副画素４９Ｇ（Ｋ，ｑ）、及び第３副画素４９Ｂ（Ｋ，ｑ）を中間調で点灯させることができる。
【００５２】
さらに、入力信号値ｘ１＿（Ｋ，ｑ）、入力信号値ｘ２＿（Ｋ，ｑ）、及び入力信号値ｘ３＿（Ｋ，ｑ）は、本来点灯される副画素及び消灯される副画素を考慮して、入力されることが好ましい。すなわち、第１副画素４９Ｒ（Ｋ，ｑ）では、本来全点灯、言い換えれば、入力信号値ｘ１＿（Ｋ，ｑ）「２５５」が入力される。第２副画素４９Ｇ（Ｋ，ｑ）では、本来消灯、言い換えれば、入力信号値ｘ２＿（Ｋ，ｑ）「０」が入力される。第３副画素４９Ｂ（Ｋ，ｑ）では、本来消灯、言い換えれば、入力信号値ｘ３＿（Ｋ，ｑ）「０」が入力される。
【００５３】
これを鑑みて、中間調で点灯される場合であっても、入力信号値ｘ１＿（Ｋ，ｑ）は、入力信号値ｘ２＿（Ｋ，ｑ）及び入力信号値ｘ３＿（Ｋ，ｑ）よりも大きい信号値であることが好ましい。図１１（Ａ）に示すように、入力信号値ｘ１＿（Ｋ，ｑ）「２２０」が入力信号値ｘ２＿（Ｋ，ｑ）「６４」及び入力信号値ｘ３＿（Ｋ，ｑ）「６４」より大きいので、第１副画素４９Ｒ（Ｋ，ｑ）の輝度は第２副画素４９Ｇ（Ｋ，ｑ）及び第３副画素４９Ｂ（Ｋ，ｑ）の輝度よりも高い。これにより、境界部４６と境界部４６以外の表示領域の輝度差をさらに緩和させることができる。なお、本来消灯させる異なる色の副画素４９の入力信号値ｘは、同じであっても違っていてもよい。
【００５４】
同様にして、図１１（Ａ）に示す例では、境界部４６の表示領域４５ｂ側第１副画素４９Ｒ（Ｋ＋１，ｑ）の入力信号値ｘ１＿（Ｋ＋１，ｑ）は６４、第２副画素４９Ｇ（Ｋ＋１，ｑ）の入力信号値ｘ２＿（Ｋ＋１，ｑ）は２２０、第３副画素４９Ｂ（Ｋ＋１，ｑ）の入力信号値ｘ３＿（Ｋ＋１，ｑ）は６４である。このように、境界部４６の表示領域４５ｂ側画素４８（Ｋ＋１，ｑ）の副画素である、第１副画素４９Ｒ（Ｋ＋１，ｑ）、第２副画素４９Ｇ（Ｋ＋１，ｑ）、及び第３副画素４９Ｂ（Ｋ＋１，ｑ）に、中間調の輝度で点灯する入力信号値ｘを入力することにより、第１副画素４９Ｒ（Ｋ＋１，ｑ）、第２副画素４９Ｇ（Ｋ＋１，ｑ）、及び第３副画素４９Ｂ（Ｋ＋１，ｑ）を中間調で点灯させることができる。
【００５５】
以上のように、境界部４６の副画素４９を中間調で点灯させるため、境界部の輝度変化が緩和される。
【００５６】
なお、図１１（Ａ）では、中間調の輝度で点灯させる入力信号値ｘを「２２０」「６４」としたが、これらは例示に過ぎない。入力信号値ｘは中間調の輝度で点灯させる値であればよい。
【００５７】
ただし、本来全点灯する副画素の入力信号値ｘが、本来消灯する副画素の入力信号値ｘよりも大きくなるように信号値を設定することにより、境界部４６とそれ以外の表示領域との輝度差をさらに緩和させることができる。
【００５８】
また、表示領域４５ｂ側の境界部４６に含まれない画素４８（Ｋ＋２，ｑ）では、入力信号値ｘ２＿（Ｋ＋２，ｑ）「２５５」が入力される第２副画素４９Ｇ（Ｋ＋２，ｑ）は、全点灯する。一方、入力信号値ｘ１＿（Ｋ＋２，ｑ）「０」が入力される第１副画素４９Ｒ（Ｋ＋２，ｑ）は、無点灯である。また、入力信号値ｘ３＿（Ｋ＋２，ｑ）「０」が入力される第３副画素４９Ｂ（Ｋ＋２，ｑ）は、無点灯である。
【００５９】
以上図１１（Ａ）を用いて説明したように、境界部４６では、本来点灯しない副画素に中間調を表示する入力信号値が入力される。さらに本来全点灯する副画素にも、中間調を表示する入力信号値が入力される。これにより、境界部の輝度の変化、並びに、境界部と境界部以外の表示領域の輝度の変化が緩和され、黒いスジが視認されることがなくなる。
【００６０】
さらに、境界部４６において、本来全点灯する副画素に入力される入力信号値を、本来点灯しない副画素に入力される入力信号値よりも大きい信号値にすることが好ましい。このように入力信号値を設定すると、境界部４６とそれ以外の表示領域との輝度変化をさらに緩和させることができる。
【００６１】
以上のようにして、表示画像の視認性を向上させることができる。
【００６２】
なお、図１１（Ｂ）は、図５における境界部４６付近のｑ行目の画素の拡大図である。図１１（Ｂ）では、境界部４６に含まれる画素を、画素４８（Ｋ、ｑ）及び画素４８（Ｋ＋１、ｑ）とする。
【００６３】
図１１（Ｂ）では、境界部４６の表示領域４５ａ側画素４８（Ｋ、ｑ）において、第１副画素４９Ｒ（Ｋ，ｑ）には入力信号値ｘ１＿（Ｋ，ｑ）「２５５」、第２副画素４９Ｇ（Ｋ，ｑ）には入力信号値ｘ２＿（Ｋ，ｑ）「０」、第３副画素４９Ｂ（Ｋ，ｑ）には入力信号値ｘ３＿（Ｋ，ｑ）「０」が入力される。よって、第１副画素４９Ｒ（Ｋ，ｑ）は全点灯し、第２副画素４９Ｇ（Ｋ，ｑ）及び第３副画素４９Ｂ（Ｋ，ｑ）は消灯する。
【００６４】
また、境界部４６の表示領域４５ｂ側画素４８（Ｋ＋１，ｑ）において、第２副画素４９Ｇ（Ｋ＋１，ｑ）には入力信号値ｘ２＿（Ｋ＋１，ｑ）「２５５」、第１副画素４９Ｒ（Ｋ＋１，ｑ）には入力信号値ｘ１＿（Ｋ＋１，ｑ）「０」、第３副画素４９Ｂ（Ｋ＋１，ｑ）には入力信号値ｘ３＿（Ｋ＋１，ｑ）「０」が入力される。第１副画素４９Ｒ（Ｋ＋１，ｑ）及び第３副画素４９Ｂ（Ｋ＋１，ｑ）は消灯し、第２副画素４９Ｇ（Ｋ＋１，ｑ）は全点灯する。
【００６５】
図１１（Ｂ）に示されるように、全点灯する副画素である、第１副画素４９Ｒ（Ｋ，ｑ）及び第２副画素４９Ｇ（Ｋ＋１，ｑ）の間に配置される、第２副画素４９Ｇ（Ｋ，ｑ）及び第１副画素４９Ｒ（Ｋ＋１，ｑ）は消灯する。また第３副画素４９Ｂ（Ｋ，ｑ）及び第３副画素４９Ｂ（Ｋ＋１，ｑ）はいずれも点灯しない。このような消灯する副画素４９は、異なる単一色が隣り合う境界部４６で、黒いスジとして視認されてしまう。
【００６６】
図２９に、３つ以上の単一色の表示領域４５を隣り合わせた例について説明する。
【００６７】
図２９では、３つの単一色の表示領域４５ａ、４５ｂ、４５ｃが並んで表示されており、表示領域４５ａと表示領域４５ｂが隣り合っている画素列、及び、表示領域４５ｂと表示領域４５ｃが隣り合っている画素列を、境界部４６とする。
【００６８】
境界部４６に含まれる画素４８を上述のように中間調で点灯させることにより、境界部４６がスジとして視認されなくなる。
【００６９】
（実施の形態１の変形例１）
図１０及び図１１（Ａ）では、図４乃至図６に示す黒いスジが発生することを抑制する例について説明した。下記に、図７乃至図９に示す明るいスジの発生を抑制する例について説明する。
【００７０】
本変形例１を図１２、図１３を用いて説明する。
【００７１】
図１２に、図７乃至図９に示した表示装置において、境界部４６の副画素のうち、本来点灯しない副画素を中間調で点灯させた例を示す。図１２では、表示領域４５ｃ及び４５ｄの境界部４６において、表示領域４５ｃ側はＬ列目の画素４８（Ｌ，ｑ）、表示領域４５ｄ側は（Ｌ＋１）列目の画素４８（Ｌ＋１，ｑ）が隣り合っているものとする（ただし、Ｌは２以上、（Ｐ０−２）以下の整数）。
【００７２】
例えば、境界部４６のｑ行目では、表示領域４５ｃ側の画素４８（Ｌ，ｑ）の第１副画素４９Ｒ（Ｌ，ｑ）及び第３副画素４９Ｂ（Ｌ，ｑ）は、図８では点灯していないが、これを中間調で点灯させる。また、表示領域４５ｄ側の画素４８（Ｌ＋１，ｑ）の第２副画素４９Ｇ（Ｌ＋１，ｑ）及び第３副画素４９Ｂ（Ｌ＋１，ｑ）は、図８では点灯していないが、これを中間調で点灯させる。
【００７３】
さらに、表示領域４５ｃ側の画素４８（Ｌ，ｑ）の第２副画素４９Ｇ（Ｌ，ｑ）は、図８では全点灯して緑色を表示しているが、これを中間調で点灯させる。一方、表示領域４５ｄ側の画素４８（Ｌ＋１，ｑ）の第１副画素４９Ｒ（Ｌ＋１，ｑ）は、図８では全点灯して赤色を表示しているが、これを中間調で点灯させる。
【００７４】
つまり、境界部４６で隣り合う画素４８（Ｌ，ｑ）及び画素４８（Ｌ＋１，ｑ）では、本来全点灯し、隣り合う第２副画素４９Ｇ（Ｌ，ｑ）及び第１副画素４９Ｒ（Ｌ＋１，ｑ）を中間調で点灯させる。さらに、本来点灯しない、第１副画素４９Ｒ（Ｌ，ｑ）、第３副画素４９Ｂ（Ｌ，ｑ）、第２副画素４９Ｇ（Ｌ＋１，ｑ）、第３副画素４９Ｂ（Ｌ＋１，ｑ）を中間調で点灯させる。以上により、境界部４６の副画素４９を中間調で点灯させるため、境界部の輝度変化が緩和される。
【００７５】
一方、境界部４６に含まれない画素４８、例えば、表示領域４５ｃでは、画素４８（Ｌ、ｑ）に隣接する、画素４８（Ｌ−１，ｑ）は、図８と同様に点灯する。すなわち、画素４８（Ｌ−１，ｑ）の第１副画素４９Ｒ（Ｌ−１，ｑ）及び第３副画素４９Ｂ（Ｌ−１，ｑ）は点灯せず、第２副画素４９Ｇ（Ｌ−１，ｑ）は全点灯する。同様に、表示領域４５ｄでは、画素４８（Ｌ＋１，ｑ）に隣接する、画素４８（Ｌ＋２，ｑ）は、図８と同様に点灯する。すなわち、第１副画素４９Ｒ（Ｌ＋２，ｑ）は全点灯し、画素４８（Ｌ＋２，ｑ）の第２副画素４９Ｇ（Ｌ＋２，ｑ）及び第３副画素４９Ｂ（Ｌ＋２，ｑ）は点灯しない。
【００７６】
境界部４６の画素４８、並びに、境界部４６に含まれない画素であり、境界部４６に隣接する画素４８との間においても、輝度変化は緩和される。例えば、表示領域４５ｃにおいて、境界部４６の画素４８（Ｌ，ｑ）と、画素４８（Ｌ，ｑ）に隣接する画素４８（Ｌ−１，ｑ）では、画素４８（Ｌ，ｑ）が中間調で点灯され、画素４８（Ｌ−１，ｑ）は単一色が点灯される。より詳細には、画素４８（Ｌ，ｑ）の第１副画素４９Ｒ（Ｌ，ｑ）は中間調で点灯され、画素４８（Ｌ−１，ｑ）の第２副画素４９Ｇ（Ｌ−１，ｑ）は全点灯する。隣接する第１副画素４９Ｒ（Ｌ，ｑ）及び第２副画素４９Ｇ（Ｌ−１，ｑ）は、それぞれ、中間調点灯と全点灯であるので、輝度変化は緩やかである。
【００７７】
このように、全点灯していた隣り合う副画素が中間調で点灯され、さらに点灯しない副画素であり、当該隣り合う副画素に隣接する副画素も中間調で点灯されるため、輝度の変化が緩和され、明るいスジが視認されることがなくなる。以上のようにして、表示画像の視認性を向上させることができる。
【００７８】
図１３（Ａ）は、図１２の境界部４６付近のｑ行目の画素の拡大図である。図１３（Ａ）は、紙面左側から、表示領域４５ｃにおける、境界部４６に含まれない画素４８（Ｌ−１，ｑ）、境界部４６の画素４８（Ｌ，ｑ）、並びに、表示領域４５ｄにおける、境界部４６の画素４８（Ｌ＋１，ｑ）、境界部４６に含まれない画素４８（Ｌ＋２，ｑ）における、それぞれの副画素の入力信号値を示している。
【００７９】
入力信号値ｘ１＿（Ｌ−１，ｑ）「０」が入力される第１副画素４９Ｒ（Ｌ−１，ｑ）は、無点灯である。入力信号値ｘ３＿（Ｌ−１，ｑ）「０」が入力される第３副画素４９Ｂ（Ｌ−１，ｑ）は、無点灯である。一方、入力信号値ｘ２＿（Ｌ−１，ｑ）「２５５」が入力される第２副画素４９Ｇ（Ｌ−１，ｑ）は、全点灯する。
【００８０】
なお、図１３（Ａ）において、第４副画素４９Ｗは、無点灯である。このため、任意の第４副画素４９Ｗ（ｐ，ｑ）に入力される入力信号値ｘ４＿（ｐ，ｑ）は０である。
【００８１】
図１３（Ａ）に示す例では、境界部４６の表示領域４５ｃ側第１副画素４９Ｒ（Ｌ，ｑ）の入力信号値ｘ１＿（Ｌ，ｑ）は６４、第２副画素４９Ｇ（Ｌ，ｑ）の入力信号値ｘ２＿（Ｌ，ｑ）は２２０、第３副画素４９Ｂ（Ｌ，ｑ）の入力信号値ｘ３＿（Ｌ，ｑ）は６４である。入力信号値ｘ１＿（Ｌ，ｑ）「６４」が入力される第１副画素４９Ｒ（Ｌ，ｑ）は、中間調の輝度で点灯される。入力信号値ｘ２＿（Ｌ，ｑ）「２２０」が入力される第２副画素４９Ｇ（Ｌ，ｑ）は、中間調の輝度で点灯される。入力信号値ｘ３＿（Ｌ，ｑ）「６４」が入力される第３副画素４９Ｂ（Ｌ，ｑ）は、中間調の輝度で点灯される。
【００８２】
このように、境界部４６の画素４８（Ｌ，ｑ）の副画素である、第１副画素４９Ｒ（Ｌ，ｑ）、第２副画素４９Ｇ（Ｌ，ｑ）、及び第３副画素４９Ｂ（Ｌ，ｑ）に、中間調の輝度で点灯させる入力信号値ｘを入力することにより、第１副画素４９Ｒ（Ｌ，ｑ）、第２副画素４９Ｇ（Ｌ，ｑ）、及び第３副画素４９Ｂ（Ｌ，ｑ）を中間調で点灯させることができる。
【００８３】
ただし、入力信号値ｘ１＿（Ｌ，ｑ）、入力信号値ｘ２＿（Ｌ，ｑ）、及び入力信号値ｘ３＿（Ｌ，ｑ）は、本来点灯される副画素及び消灯される副画素を考慮して、入力されることが好ましい。すなわち、第１副画素４９Ｒ（Ｌ，ｑ）では、本来消灯、言い換えれば、入力信号値ｘ１＿（Ｌ，ｑ）「０」が入力される。第２副画素４９Ｇ（Ｌ，ｑ）では、本来全点灯、言い換えれば、入力信号値ｘ１＿（Ｌ，ｑ）「２５５」が入力される。第３副画素４９Ｂ（Ｌ，ｑ）では、本来消灯、言い換えれば、入力信号値ｘ３＿（Ｌ，ｑ）「０」が入力される。
【００８４】
これを鑑みて、中間調で点灯される場合であっても、入力信号値ｘ１＿（Ｌ，ｑ）及び入力信号値ｘ３＿（Ｌ，ｑ）は、入力信号値ｘ２＿（Ｌ，ｑ）よりも小さい信号値であることが好ましい。図１３（Ａ）に示すように、入力信号値ｘ１＿（Ｌ，ｑ）及び入力信号値ｘ３＿（Ｌ，ｑ）「６４」が入力信号値ｘ２＿（Ｌ，ｑ）「２２０」より小さいので、第１副画素４９Ｒ（Ｌ，ｑ）及び第３副画素４９Ｂ（Ｌ，ｑ）の輝度は第２副画素４９Ｇ（Ｌ，ｑ）の輝度よりも低い。これにより、境界部４６と境界部４６以外の表示領域の輝度差をさらに緩和させることができる。
【００８５】
同様にして、図１３（Ａ）に示す例では、境界部４６の表示領域４５ｄ側第１副画素４９Ｒ（Ｌ＋１，ｑ）の入力信号値ｘ１＿（Ｌ＋１，ｑ）は２２０、第２副画素４９Ｇ（Ｌ＋１，ｑ）の入力信号値ｘ２＿（Ｌ＋１，ｑ）は６４、第３副画素４９Ｂ（Ｌ＋１，ｑ）の入力信号値ｘ３＿（Ｌ＋１，ｑ）は６４である。このように、境界部４６の表示領域４５ｄ側画素４８（Ｌ＋１，ｑ）の副画素である、第１副画素４９Ｒ（Ｌ＋１，ｑ）、第２副画素４９Ｇ（Ｌ＋１，ｑ）、及び第３副画素４９Ｂ（Ｌ＋１，ｑ）に、中間調の輝度で点灯させる入力信号値ｘを入力することにより、第１副画素４９Ｒ（Ｌ＋１，ｑ）、第２副画素４９Ｇ（Ｌ＋１，ｑ）、及び第３副画素４９Ｂ（Ｌ＋１，ｑ）を中間調で点灯させることができる。
【００８６】
以上のように、境界部４６の副画素４９を中間調で点灯させるため、境界部の輝度変化が緩和される。
【００８７】
なお、図１３（Ａ）では、中間調の輝度で点灯させる入力信号値ｘを「２２０」「６４」としたが、これらは例示に過ぎない。入力信号値ｘは中間調の輝度で点灯させる値であればよい。
【００８８】
ただし、本来消灯する副画素の入力信号値ｘが、本来全点灯する副画素の入力信号値ｘよりも小さくなるように信号値を設定することにより、境界部４６とそれ以外の表示領域との輝度差をさらに緩和させることができる。
【００８９】
また、表示領域４５ｄ側の境界部４６に含まれない画素４８（Ｌ＋２，ｑ）では、入力信号値ｘ１＿（Ｌ＋２，ｑ）「２５５」が入力される第１副画素４９Ｒ（Ｌ＋２，ｑ）は、全点灯する。一方、入力信号値ｘ２＿（Ｌ＋２，ｑ）「０」が入力される第２副画素４９Ｇ（Ｌ＋２，ｑ）は、消灯する。さらに、入力信号値ｘ３＿（Ｌ＋２，ｑ）「０」が入力される第３副画素４９Ｂ（Ｌ＋２，ｑ）は、消灯する。
【００９０】
以上図１３（Ａ）を用いて説明したように、境界部４６では、本来全点灯する副画素に中間調を表示する入力信号値が入力される。さらに本来消灯する副画素にも、中間調を表示する入力信号値が入力される。これにより、境界部の輝度の変化、並びに、境界部と境界部以外の表示領域の輝度の変化が緩和され、明るいスジが視認されることがなくなる。
【００９１】
さらに、境界部４６において、本来消灯する副画素に入力される入力信号値を、本来全点灯副画素に入力される入力信号値よりも小さい信号値にすることが好ましい。このように入力信号値を設定すると、境界部４６とそれ以外の表示領域との輝度変化をさらに緩和させることができる。
【００９２】
以上のようにして、表示画像の視認性を向上させることができる。
【００９３】
なお、図１３（Ｂ）は、図８における境界部４６付近のｑ行目の画素の拡大図である。図１３（Ｂ）では、境界部４６に含まれる画素を、画素４８（Ｌ，ｑ）及び画素４８（Ｌ＋１，ｑ）とする。
【００９４】
図１３（Ｂ）では、境界部４６の表示領域４５ｃ側画素４８（Ｌ，ｑ）において、第１副画素４９Ｒ（Ｌ，ｑ）には入力信号値ｘ１＿（Ｌ，ｑ）「０」、第２副画素４９Ｇ（Ｌ，ｑ）には入力信号値ｘ２＿（Ｌ，ｑ）「２５５」、第３副画素４９Ｂ（Ｌ，ｑ）には入力信号値ｘ３＿（Ｌ，ｑ）「０」が入力される。よって、第１副画素４９Ｒ（Ｌ，ｑ）及び第３副画素４９Ｂ（Ｌ，ｑ）は消灯し、第２副画素４９Ｇ（Ｌ，ｑ）は全点灯する。
【００９５】
また、境界部４８の表示領域４５ｄ側画素４８（Ｌ＋１，ｑ）において、第１副画素４９Ｒ（Ｌ＋１，ｑ）には入力信号値ｘ１＿（Ｌ＋１，ｑ）「２５５」、第２副画素４９Ｇ（Ｌ＋１，ｑ）には入力信号値ｘ２＿（Ｌ＋１，ｑ）「０」、第３副画素４９Ｂ（Ｌ＋１，ｑ）には入力信号値ｘ３＿（Ｌ＋１，ｑ）「０」が入力される。第１副画素４９Ｒ（Ｌ＋１，ｑ）は全点灯し、第２副画素４９Ｇ（Ｌ＋１，ｑ）及び第３副画素４９Ｂ（Ｌ＋１，ｑ）は消灯する。
【００９６】
図１３（Ｂ）に示されるように、隣り合う第２副画素４９Ｇ（Ｌ，ｑ）及び第１副画素４９Ｒ（Ｌ＋１，ｑ）は全点灯する。さらに、画素４８（Ｌ，ｑ）の第１副画素４９Ｒ（Ｌ，ｑ）、及び、画素４８（Ｌ＋１，ｑ）の第２副画素４９Ｇ（Ｌ＋１，ｑ）は点灯しない。また第３副画素４９Ｂ（Ｌ，ｑ）及び第３副画素４９Ｂ（Ｌ＋１，ｑ）はいずれも点灯しない。このように、異なる単一色が表示される境界部４６では、当該単一色同士が混色され、明るいスジとして視認されてしまう。
【００９７】
また本変形例は、実施の形態１で述べたように、３つ以上の表示領域を設けた場合にも適用可能である。
【００９８】
（実施の形態１の変形例２）
実施の形態１及びその変形例１では、単一色の原色を隣り合って表示させる例について説明した。本変形例２では、原色の補色同士を表示させる例、例えば、シアン（Ｃ）、マゼンダ（Ｍ）、イエロー（Ｙ）のいずれかを隣り合って表示させる例について説明する。
【００９９】
本変形例２を図１４、図１５を用いて説明する。
【０１００】
図１４に、単一色としてシアンとマゼンタを隣り合って表示させる例を示す。図１４では、シアンを表示する表示領域４５ｅ及びマゼンタを表示する表示領域４５ｆの境界部４６において、表示領域４５ｅ側はＮ列目の画素４８（Ｎ，ｑ）、表示領域４５ｆ側は（Ｎ＋１）列目の画素４８（Ｎ＋１，ｑ）が隣り合っているものとする（ただし、Ｎは２以上かつ（Ｐ０−２）以下の整数）。
【０１０１】
シアンを表示させるには、第２副画素４９Ｇ及び第３副画素４９Ｂを点灯させればよい。またマゼンタを表示させるには、第１副画素４９Ｒ及び第３副画素４９Ｂを点灯させればよい。
【０１０２】
よって、境界部４６に含まれない画素４８について、表示領域４５ｅでは、画素４８（１，ｑ）乃至画素４８（Ｎ−１，ｑ）は、第２副画素４９Ｇ及び第３副画素４９Ｂを全点灯させ、第１副画素４９Ｒ及び第４副画素４９Ｗは点灯させない。同様に、境界部４６に含まれない画素４８について、表示領域４５ｆでは、画素４８（Ｎ＋２，ｑ）乃至画素４８（Ｐ０，ｑ）は、第１副画素４９Ｒ及び第３副画素４９Ｂを全点灯させ、第２副画素４９Ｇ及び第４副画素４９Ｗは点灯させない。
【０１０３】
境界部４６では、表示領域４５ｅ側の画素４８（Ｎ，ｑ）及び表示領域４５ｆ側の画素４８（Ｎ＋１，ｑ）を中間調で点灯させる。下記により具体的な例を述べる。
【０１０４】
例えば、境界部４６のｑ行目では、表示領域４５ｅ側の画素４８（Ｎ，ｑ）の第１副画素４９Ｒ（Ｎ，ｑ）は、本来点灯しないが、これを中間調で点灯させる。
【０１０５】
さらに、表示領域４５ｅ側の画素４８（Ｎ，ｑ）の第２副画素４９Ｇ（Ｎ，ｑ）及び第３副画素４９Ｂ（Ｎ，ｑ）は、本来全点灯するが、これを中間調で点灯させる。
【０１０６】
また、表示領域４５ｆ側の画素４８（Ｎ＋１，ｑ）の第２副画素４９Ｇ（Ｎ＋１，ｑ）は、本来点灯しないが、これを中間調で点灯させる。
【０１０７】
さらに、表示領域４５ｆ側の画素４８（Ｎ＋１，ｑ）の第１副画素４９Ｒ（Ｎ＋１，ｑ）及び第３副画素４９Ｂ（Ｎ＋１，ｑ）は、本来全点灯するが、これを中間調で点灯させる。
【０１０８】
なお、図１４において、第４副画素４９Ｗはいずれも点灯しない。
【０１０９】
以上により、境界部４６の副画素４９を中間調で点灯させるため、境界部の輝度変化が緩和される。
【０１１０】
境界部４６の画素４８、並びに、境界部４６に含まれない画素であり、境界部４６に隣接する画素４８との間においても、輝度変化は緩和される。例えば、表示領域４５ｅにおいて、境界部４６の画素４８（Ｎ，ｑ）と、画素４８（Ｎ，ｑ）に隣接する画素４８（Ｎ−１，ｑ）では、画素４８（Ｎ，ｑ）が中間調で点灯され、画素４８（Ｎ−１，ｑ）は全点灯される。これにより、境界部４６とそれ以外の領域の輝度変化は緩和される。
【０１１１】
これにより、境界部４６における輝度の変化、並びに、境界部と境界部以外の表示領域の輝度の変化が緩和され、境界部のスジが視認されなくなる。
【０１１２】
このように、点灯していなかった副画素が中間調で点灯され、さらに全点灯していた副画素も中間調で点灯されるため、輝度の変化が緩和され、スジが視認されることがなくなる。以上のようにして、表示画像の視認性を向上させることができる。
【０１１３】
図１５は、図１４の境界部４６付近のｑ行目の画素の拡大図である。図１５は、紙面左側から、表示領域４５ｅにおける、境界部４６に含まれない画素４８（Ｎ−１，ｑ）、境界部４６の画素４８（Ｎ，ｑ）、並びに、表示領域４５ｆにおける、境界部４６の画素４８（Ｎ＋１，ｑ）、境界部４６に含まれない画素４８（Ｎ＋２，ｑ）における、それぞれの副画素の入力信号値を示している。
【０１１４】
入力信号値ｘ２＿（Ｎ−１，ｑ）「２５５」が入力される第２副画素４９Ｇ（Ｎ−１，ｑ）は、全点灯する。入力信号値ｘ３＿（Ｎ−１，ｑ）「２５５」が入力される第３副画素４９Ｂ（Ｎ−１，ｑ）は、全点灯する。一方、入力信号値ｘ１＿（Ｎ−１，ｑ）「０」が入力される第１副画素４９Ｒ（Ｎ−１，ｑ）は、無点灯である。
【０１１５】
なお、図１５において、第４副画素４９Ｗは無点灯である。このため、任意の第４副画素４９Ｗ（ｐ，ｑ）に入力される入力信号値ｘ４＿（ｐ，ｑ）は０である。
【０１１６】
図１５に示す例では、境界部４６の表示領域４５ｅ側第１副画素４９Ｒ（Ｎ，ｑ）の入力信号値ｘ１＿（Ｎ，ｑ）は６４、第２副画素４９Ｇ（Ｎ，ｑ）の入力信号値ｘ２＿（Ｎ，ｑ）は２２０、第３副画素４９Ｂ（Ｎ，ｑ）の入力信号値ｘ３＿（Ｎ，ｑ）は２２０である。入力信号値ｘ１＿（Ｎ，ｑ）「６４」が入力される第１副画素４９Ｒ（Ｎ，ｑ）は、中間調の輝度で点灯させる。入力信号値ｘ２＿（Ｎ，ｑ）「２２０」が入力される第２副画素４９Ｇ（Ｎ，ｑ）は、中間調の輝度で点灯させる。入力信号値ｘ３＿（Ｎ，ｑ）「２２０」が入力される第３副画素４９Ｂ（Ｎ，ｑ）は、中間調の輝度で点灯させる。
【０１１７】
このように、境界部４６の画素４８（Ｎ，ｑ）の副画素、第１副画素４９Ｒ（Ｎ，ｑ）、第２副画素４９Ｇ（Ｎ，ｑ）、及び第３副画素４９Ｂ（Ｎ，ｑ）に、中間調の輝度で点灯させる入力信号値ｘを入力することにより、第１副画素４９Ｒ（Ｎ，ｑ）、第２副画素４９Ｇ（Ｎ，ｑ）、及び第３副画素４９Ｂ（Ｎ，ｑ）を中間調で点灯させることができる。
【０１１８】
さらに、入力信号値ｘ１＿（Ｎ，ｑ）、入力信号値ｘ２＿（Ｎ，ｑ）、及び入力信号値ｘ３＿（Ｎ，ｑ）は、本来点灯される副画素及び消灯される副画素を考慮して、入力されることが好ましい。すなわち、第１副画素４９Ｒ（Ｎ，ｑ）では、本来非点灯、言い換えれば、入力信号値ｘ１＿（Ｎ，ｑ）「０」が入力される。第２副画素４９Ｇ（Ｎ，ｑ）では、本来全点灯、言い換えれば、入力信号値ｘ２＿（Ｎ，ｑ）「２５５」が入力される。第３副画素４９Ｂ（Ｎ，ｑ）では、本来全点灯、言い換えれば、入力信号値ｘ３＿（Ｎ，ｑ）「２５５」が入力される。これを鑑みて、本来入力される入力信号値ｘを考慮して、中間調で点灯させるための入力信号値ｘを入力することが好ましい。
【０１１９】
同様にして、図１５に示す例では、境界部４６の表示領域４５ｆ側第１副画素４９Ｒ（Ｎ＋１，ｑ）の入力信号値ｘ１＿（Ｎ＋１，ｑ）は２２０、第２副画素４９Ｇ（Ｎ＋１，ｑ）の入力信号値ｘ２＿（Ｎ＋１，ｑ）は６４、第３副画素４９Ｂ（Ｎ＋１，ｑ）の入力信号値ｘ３＿（Ｎ＋１，ｑ）は２２０である。このように、境界部４６の表示領域４５ｆ側画素４８（Ｎ＋１，ｑ）の副画素である、第１副画素４９Ｒ（Ｎ＋１，ｑ）、第２副画素４９Ｇ（Ｎ＋１，ｑ）、及び第３副画素４９Ｂ（Ｎ＋１，ｑ）に、中間調の輝度で点灯する入力信号値ｘを入力することにより、第１副画素４９Ｒ（Ｎ＋１，ｑ）、第２副画素４９Ｇ（Ｎ＋１，ｑ）、及び第３副画素４９Ｂ（Ｎ＋１，ｑ）を中間調で点灯させることができる。
【０１２０】
以上のように、境界部４６の副画素４９を中間調で点灯させるため、境界部の輝度変化が緩和される。
【０１２１】
なお、図１５では、中間調の輝度で点灯させる入力信号値ｘを「２２０」「６４」としたが、これらは例示に過ぎない。入力信号値ｘは中間調の輝度で点灯させる値であればよい。
【０１２２】
ただし、実施の形態１及びその変形例１で述べたように、本来全点灯する副画素の入力信号値ｘが、本来消灯する副画素の入力信号値ｘよりも大きくなるように信号値を設定することにより、境界部４６とそれ以外の表示領域との輝度差をさらに緩和させることができる。
【０１２３】
また、表示領域４５ｆ側の境界部４６に含まれない画素４８（Ｎ＋２，ｑ）では、入力信号値ｘ１＿（Ｎ＋２，ｑ）「２５５」が入力される第１副画素４９Ｒ（Ｎ＋２，ｑ）は、全点灯する。入力信号値ｘ３＿（Ｎ＋２，ｑ）「２５５」が入力される第３副画素４９Ｂ（Ｎ＋２，ｑ）は、全点灯する。一方、入力信号値ｘ２＿（Ｎ＋２，ｑ）「０」が入力される第２副画素４９Ｇ（Ｎ＋２，ｑ）は、無点灯である。
【０１２４】
以上図１５を用いて説明したように、境界部４６では、本来点灯しない副画素に中間調を表示する入力信号値が入力される。さらに本来全点灯する副画素にも、中間調を表示する入力信号値が入力される。これにより、境界部の輝度の変化、並びに、境界部と境界部以外の表示領域の輝度の変化が緩和され、スジが視認されることがなくなる。
【０１２５】
以上のようにして、表示画像の視認性を向上させることができる。
【０１２６】
なお、本変形例２では、原色の補色同士を表示させる例として、表示領域４５ｅをシアンに表示させ、表示領域４５ｆにマゼンタを表示させた例について述べたが、他の原色の補色同士を表示させる場合についても、スジの視認を解消し、表示画像の視認性を向上させることができる。
【０１２７】
特に、表示領域４５ｅ（左側）及び表示領域４５ｆ（右側）の組み合わせとして、イエロー（Ｙ）及びシアン（Ｃ）、イエロー（Ｙ）及びマゼンタ（Ｍ）、シアン（Ｃ）及びイエロー（Ｙ）、並びに、シアン（Ｃ）及びマゼンタ（Ｍ）の組み合わせが、効果が顕著である。
【０１２８】
また本変形例は、実施の形態１で述べたように、３つ以上の表示領域を設けた場合にも適用可能である。
【０１２９】
（実施の形態１の変形例３）
本変形例３では、原色とその補色同士を隣り合って表示させる例、例えば、赤色（Ｒ）とシアン（Ｃ）、緑色（Ｇ）とマゼンダ（Ｍ）、青色（Ｂ）とイエロー（Ｙ）を隣り合って表示させる例について説明する。
【０１３０】
本変形例３を、図１６、図１７を用いて説明する。
【０１３１】
図１６に、単一色として緑色とマゼンタを隣り合って表示させる例を示す。図１６では、緑色を表示する表示領域４５ｊ及びマゼンタを表示する表示領域４５ｋの境界部４６において、表示領域４５ｊ側はＤ列目の画素４８（Ｄ，ｑ）、表示領域４５ｋ側は（Ｄ＋１）列目の画素４８（Ｄ＋１，ｑ）が隣り合っているものとする（ただし、Ｄは２以上かつ（Ｐ０−２）以下の整数）。
【０１３２】
緑色を表示させるには、第２副画素４９Ｇを点灯させればよい。またマゼンタを表示させるには、第１副画素４９Ｒ及び第３画素４９Ｂを点灯させればよい。
【０１３３】
よって、境界部４６に含まれない画素４８について、表示領域４５ｊでは、画素４８（１，ｑ）乃至画素４８（Ｄ−１，ｑ）では、第２副画素４９Ｇを全点灯させ、第１副画素４９Ｒ、第３副画素４９Ｂ、及び第４副画素４９Ｗは点灯させない。同様に、境界部４６に含まれない画素４８について、表示領域４５ｋでは、画素４８（Ｄ＋２，ｑ）乃至画素４８（Ｐ０，ｑ）では、第１副画素４９Ｒ及び第３副画素４９Ｂを全点灯させ、第２副画素４９Ｇ及び第４副画素４９Ｗは点灯させない。
【０１３４】
境界部４６では、表示領域４５ｊ側の画素４８（Ｄ，ｑ）及び表示領域４５ｋ側の画素４８（Ｄ＋１，ｑ）を中間調で点灯させる。下記により具体的な例を述べる。
【０１３５】
例えば、境界部４６のｑ行目では、表示領域４５ｊ側の画素４８（Ｄ，ｑ）の第１副画素４９Ｒ（Ｄ，ｑ）及び第３副画素４９Ｂ（Ｄ，ｑ）は、本来点灯しないが、これを中間調で点灯させる。
【０１３６】
さらに、表示領域４５ｊ側の画素４８（Ｄ，ｑ）の第２副画素４９Ｇ（Ｄ，ｑ）は、本来全点灯するが、これを中間調で点灯させる。
【０１３７】
また、表示領域４５ｋ側の画素４８（Ｄ＋１，ｑ）の第２副画素４９Ｇ（Ｄ＋１，ｑ）は、本来点灯しないが、これを中間調で点灯させる。
【０１３８】
さらに、表示領域４５ｋ側の画素４８（Ｄ＋１，ｑ）の第１副画素４９Ｒ（Ｄ＋１，ｑ）及び第３副画素４９Ｂ（Ｄ＋１，ｑ）は、本来全点灯するが、これを中間調で点灯させる。
【０１３９】
なお、図１６において、第４副画素４９Ｗは無点灯である。
【０１４０】
以上により、境界部４６の副画素４９を中間調で点灯させるため、境界部の輝度変化が緩和される。
【０１４１】
境界部４６の画素４８、並びに、境界部４６に含まれない画素であり、境界部４６に隣接する画素４８との間においても、輝度変化は緩和される。例えば、表示領域４５ｊにおいて、境界部４６の画素４８（Ｄ，ｑ）と、画素４８（Ｄ，ｑ）に隣接する画素４８（Ｄ−１，ｑ）では、画素４８（Ｄ，ｑ）が中間調で点灯され、画素４８（Ｄ−１，ｑ）は単一色が点灯される。これにより、境界部４６とそれ以外の領域の輝度変化は緩和される。
【０１４２】
これにより、境界部４６における輝度の変化、並びに、境界部と境界部以外の表示領域の輝度の変化が緩和され、境界部のスジが視認されなくなる。
【０１４３】
このように、点灯していなかった副画素が中間調で点灯され、さらに全点灯していた副画素も中間調で点灯されるため、輝度の変化が緩和され、スジが視認されることがなくなる。以上のようにして、表示画像の視認性を向上させることができる。
【０１４４】
図１７は、図１６の境界部４６付近のｑ行目の画素の拡大図である。図１７は、紙面左側から、表示領域４５ｊにおける、境界部４６に含まれない画素４８（Ｄ−１，ｑ）、境界部４６の画素４８（Ｄ，ｑ）、並びに、表示領域４５ｋにおける、境界部４６の画素４８（Ｄ＋１，ｑ）、境界部４６に含まれない画素４８（Ｄ＋２，ｑ）における、それぞれの副画素の入力信号値を示している。
【０１４５】
入力信号値ｘ１＿（Ｄ−１，ｑ）「０」が入力される第１副画素４９Ｒ（Ｄ−１，ｑ）は、無点灯である。一方、入力信号値ｘ２＿（Ｄ−１，ｑ）「２５５」が入力される第２副画素４９Ｇ（Ｄ−１，ｑ）は、全点灯である。入力信号値ｘ３＿（Ｄ−１，ｑ）「０」が入力される第３副画素４９Ｂ（Ｄ−１，ｑ）は、無点灯である。
【０１４６】
なお、図１７において、第４副画素４９Ｗは無点灯である。このため、任意の第４副画素４９Ｗ（ｐ，ｑ）に入力される入力信号値ｘ４＿（ｐ，ｑ）は０である。
【０１４７】
図１７に示す例では、境界部４６の表示領域４５ｊ側第１副画素４９Ｒ（Ｄ，ｑ）の入力信号値ｘ１＿（Ｄ，ｑ）は６４、第２副画素４９Ｇ（Ｄ，ｑ）の入力信号値ｘ２＿（Ｄ，ｑ）は２２０、第３副画素４９Ｂ（Ｄ，ｑ）の入力信号値ｘ３＿（Ｄ，ｑ）は６４である。入力信号値ｘ１＿（Ｄ，ｑ）「６４」が入力される第１副画素４９Ｒ（Ｄ，ｑ）は、中間調の輝度で点灯させる。入力信号値ｘ２＿（Ｄ，ｑ）「２２０」が入力される第２副画素４９Ｇ（Ｄ，ｑ）は、中間調の輝度で点灯させる。入力信号値ｘ３＿（Ｄ，ｑ）「６４」が入力される第３副画素４９Ｂ（Ｄ，ｑ）は、中間調の輝度で点灯させる。
【０１４８】
このように、境界部４６の画素４８（Ｄ，ｑ）の副画素である、第１副画素４９Ｒ（Ｄ，ｑ）、第２副画素４９Ｇ（Ｄ，ｑ）、及び第３副画素４９Ｂ（Ｄ，ｑ）に、中間調の輝度で点灯させる入力信号値ｘを入力することにより、第１副画素４９Ｒ（Ｄ，ｑ）、第２副画素４９Ｇ（Ｄ，ｑ）、及び第３副画素４９Ｂ（Ｄ，ｑ）を中間調で点灯させることができる。
【０１４９】
さらに、入力信号値ｘ１＿（Ｄ，ｑ）、入力信号値ｘ２＿（Ｄ，ｑ）、及び入力信号値ｘ３＿（Ｄ，ｑ）は、本来点灯される副画素及び消灯される副画素を考慮して、入力されることが好ましい。すなわち、第１副画素４９Ｒ（Ｄ，ｑ）では、本来消灯、言い換えれば、入力信号値ｘ１＿（Ｄ，ｑ）「０」が入力される。第２副画素４９Ｇ（Ｄ，ｑ）では、本来全点灯、言い換えれば、入力信号値ｘ２＿（Ｄ，ｑ）「２５５」が入力される。第３副画素４９Ｂ（Ｄ，ｑ）では、本来消灯、言い換えれば、入力信号値ｘ３＿（Ｄ，ｑ）「０」が入力される。これを鑑みて、本来入力される入力信号値ｘを考慮して、中間調で点灯させるための入力信号値ｘを入力することが好ましい。
【０１５０】
同様にして、図１７に示す例では、境界部４６の表示領域４５ｋ側第１副画素４９Ｒ（Ｄ＋１，ｑ）の入力信号値ｘ１＿（Ｄ＋１，ｑ）は２２０、第２副画素４９Ｇ（Ｄ＋１，ｑ）の入力信号値ｘ２＿（Ｄ＋１，ｑ）は６４、第３副画素４９Ｂ（Ｄ＋１，ｑ）の入力信号値ｘ３＿（Ｄ＋１，ｑ）は２２０である。このように、境界部４６の表示領域４５ｋ側画素４８（Ｄ＋１，ｑ）の副画素である、第１副画素４９Ｒ（Ｄ＋１，ｑ）、第２副画素４９Ｇ（Ｄ＋１，ｑ）、及び第３副画素４９Ｂ（Ｄ＋１，ｑ）に、中間調の輝度で点灯する入力信号値ｘを入力することにより、第１副画素４９Ｒ（Ｄ＋１，ｑ）、第２副画素４９Ｇ（Ｄ＋１，ｑ）、及び第３副画素４９Ｂ（Ｄ＋１，ｑ）を中間調で点灯させることができる。
【０１５１】
以上のように、境界部４６の副画素４９を中間調で点灯させるため、境界部の輝度変化が緩和される。
【０１５２】
なお、図１７では、中間調の輝度で点灯させる入力信号値ｘを「２２０」「６４」としたが、これらは例示に過ぎない。入力信号値ｘは中間調の輝度で点灯させる値であればよい。
【０１５３】
ただし、実施の形態１及びその変形例１及び２で述べたように、本来全点灯する副画素の入力信号値ｘが、本来消灯する副画素の入力信号値ｘよりも大きくなるように信号値を設定することにより、境界部４６とそれ以外の表示領域との輝度差をさらに緩和させることができる。
【０１５４】
また、表示領域４５ｋ側の境界部４６に含まれない画素４８（Ｄ＋２，ｑ）では、入力信号値ｘ１＿（Ｄ＋２，ｑ）「２５５」が入力される第１副画素４９Ｒ（Ｄ＋２，ｑ）は、全点灯する。入力信号値ｘ３＿（Ｄ＋２，ｑ）「２５５」が入力される第３副画素４９Ｂ（Ｄ＋２，ｑ）は、全点灯である。一方、入力信号値ｘ２＿（Ｄ＋２，ｑ）「０」が入力される第２副画素４９Ｇ（Ｄ＋２，ｑ）は、無点灯である。
【０１５５】
以上図１７を用いて説明したように、境界部４６では、本来点灯しない副画素に中間調を表示する入力信号値が入力される。さらに本来全点灯する副画素にも、中間調を表示する入力信号値が入力される。これにより、境界部の輝度の変化、並びに、境界部と境界部以外の表示領域の輝度の変化が緩和され、スジが視認されることがなくなる。
【０１５６】
以上のようにして、表示画像の視認性を向上させることができる。
【０１５７】
なお、本変形例３では、表示領域４５ｊに緑色に表示させ、表示領域４５ｋにマゼンタを表示させた例について述べたが、表示させる色を逆にしても同様の効果が得られる、すなわち、表示領域４５ｊをマゼンタに表示させ、表示領域４５ｋに緑色を表示させた場合でも、スジの視認を解消し、表示画像の視認性を向上させることができる。さらに、上述したように、他の原色及びその補色同士を表示させる場合についても同様である。
【０１５８】
特に、表示領域４５ｊ（左側）及び表示領域４５ｋ（右側）の組み合わせとして、シアン（Ｃ）及び赤色（Ｒ）、緑色（Ｇ）及びマゼンタ（Ｍ）、マゼンタ（Ｍ）及び緑色（Ｇ）、イエロー（Ｙ）及び青色（Ｂ）の組み合わせが、効果が顕著である。
【０１５９】
また本変形例は、実施の形態１で述べたように、３つ以上の表示領域を設けた場合にも適用可能である。
【０１６０】
（実施の形態１の変形例４）
実施の形態１及びその変形例１乃至３では、単一色および補色の表示領域を、平面視で左右に並べた例について説明したが、本変形例では、当該表示領域を、平面視で上下に並べた例について説明する。
【０１６１】
本変形例４を、図３０、図３１を用いて説明する。
【０１６２】
図３０に、単一色として赤色と青色を上下に隣り合って表示させる例を示す。図３０では、赤色を表示する表示領域４５ｓ及び青色を表示する表示領域４５ｔの境界部４６において、表示領域４５ｓ側はＶ行目の画素４８（ｐ，Ｖ）、表示領域４５ｔ側は（Ｖ＋１）行目の画素４８（ｐ，Ｖ＋１）が隣り合っているものとする（ただし、Ｖは（Ｑ０−１）以下の整数）。
【０１６３】
赤色を表示させるには、第１副画素４９Ｒを点灯させればよい。また青色を表示させるには、第３副画素４９Ｂを点灯させればよい。
【０１６４】
よって、境界部４６に含まれない画素４８について、表示領域４５ｓでは、画素４８（ｐ，１）乃至画素４８（ｐ，Ｖ−１）では、第１副画素４９Ｒを全点灯させ、第２副画素４９Ｇ、第３副画素４９Ｂ、及び第４副画素４９Ｗは点灯させない。同様に、境界部４６に含まれない画素４８について、表示領域４５ｔでは、画素４８（ｐ，Ｖ＋２）乃至画素４８（ｐ，Ｑ０）では、第３画素４９Ｂを全点灯させ、第１画素４９Ｒ、第２画素４９Ｇ及び及び第４画素４９Ｗは点灯させない。
【０１６５】
境界部４６では、表示領域４５ｓ側の画素４８（ｐ，Ｖ）及び表示領域４５ｔ側の画素４８（ｐ，Ｖ＋１）を中間調で点灯させる。下記により具体的な例を述べる。
【０１６６】
例えば、境界部４６のｐ列目では、表示領域４５ｓ側の画素４８（ｐ，Ｖ）の第２副画素４９Ｇ（ｐ，Ｖ）及び第３副画素４９Ｂ（ｐ，Ｖ）は、本来点灯しないが、これを中間調で点灯させる。
【０１６７】
さらに、表示領域４５ｓ側の画素４８（ｐ，Ｖ）の第１副画素４９Ｒ（ｐ，Ｖ）は、本来全点灯するが、これを中間調で点灯させる。
【０１６８】
また、表示領域４５ｔ側の画素４８（ｐ，Ｖ＋１）の第１副画素４９Ｒ（ｐ，Ｖ＋１）及び第２副画素４９Ｇ（ｐ，Ｖ＋１）は、本来点灯しないが、これを中間調で点灯させる。
【０１６９】
さらに、表示領域４５ｔ側の画素４８（ｐ，Ｖ＋１）の第３副画素４９Ｂ（ｐ，Ｖ＋１）は、本来全点灯するが、これを中間調で点灯させる。
【０１７０】
なお、図３０において、第４副画素４９Ｗは無点灯である。
【０１７１】
以上により、境界部４６の副画素４９を中間調で点灯させるため、境界部の輝度変化が緩和される。
【０１７２】
境界部４６の画素４８、並びに、境界部４６に含まれない画素であり、境界部４６に隣接する画素４８との間においても、輝度変化は緩和される。例えば、表示領域４５ｓにおいて、境界部４６の画素４８（ｐ，Ｖ）と、画素４８（ｐ，Ｖ）に隣接する画素４８（ｐ，Ｖ−１）では、画素４８（ｐ，Ｖ）が中間調で点灯され、画素４８（ｐ，Ｖ−１）は単一色が点灯される。これにより、境界部４６とそれ以外の領域の輝度変化は緩和される。同様に、表示領域４５ｔでは、画素４８（ｐ，Ｖ＋１）に隣接する、画素４８（ｐ，Ｖ＋２）では、第３副画素４９Ｂ（ｐ，Ｖ＋２）は全点灯させ、第１副画素４９Ｒ（ｐ，Ｖ＋２）及び第２副画素４９Ｇ（ｐ，Ｖ＋２）は無点灯である。
【０１７３】
これにより、境界部４６における輝度の変化、並びに、境界部と境界部以外の表示領域の輝度の変化が緩和され、境界部のスジが視認されなくなる。
【０１７４】
このように、点灯していなかった副画素が中間調で点灯され、さらに全点灯していた副画素も中間調で点灯されるため、輝度の変化が緩和され、スジが視認されることがなくなる。以上のようにして、表示画像の視認性を向上させることができる。
【０１７５】
図３１は、図３０の境界部４６付近のｐ列目の画素の拡大図である。図３１は、紙面上側から、表示領域４５ｓにおける、境界部４６に含まれない画素４８（ｐ，Ｖ−１）、境界部４６の画素４８（ｐ，Ｖ）、並びに、表示領域４５ｔにおける、境界部４６の画素４８（ｐ，Ｖ＋１）、境界部４６に含まれない画素４８（ｐ，Ｖ＋２）における、それぞれの副画素の入力信号値を示している。
【０１７６】
入力信号値ｘ１＿（ｐ，Ｖ−１）「２５５」が入力される第１副画素４９Ｒ（ｐ，Ｖ−１）は、全点灯する。一方、入力信号値ｘ２＿（ｐ，Ｖ−１）「０」が入力される第２副画素４９Ｇ（ｐ，Ｖ−１）は、無点灯である。入力信号値ｘ３＿（ｐ，Ｖ−１）「０」が入力される第３副画素４９Ｂ（ｐ，Ｖ−１）は、無点灯である。
【０１７７】
なお、図３１において、第４副画素４９Ｗは無点灯である。このため、任意の第４副画素４９Ｗ（ｐ，ｑ）に入力される入力信号値ｘ４＿（ｐ，ｑ）は０である。
【０１７８】
図３１に示す例では、境界部４６の表示領域４５ｓ側第１副画素４９Ｒ（ｐ，Ｖ）の入力信号値ｘ１＿（ｐ，Ｖ）は２２０、第２副画素４９Ｇ（ｐ，Ｖ）の入力信号値ｘ２＿（ｐ，Ｖ）は６４、第３副画素４９Ｂ（ｐ，Ｖ）の入力信号値ｘ３＿（ｐ，Ｖ）は６４である。入力信号値ｘ１＿（ｐ，Ｖ）「２２０」が入力される第１副画素４９Ｒ（ｐ，Ｖ）は、中間調の輝度で点灯させる。入力信号値ｘ２＿（ｐ，Ｖ）「６４」が入力される第２副画素４９Ｇ（ｐ，Ｖ）は、中間調の輝度で点灯させる。入力信号値ｘ３＿（ｐ，Ｖ）「６４」が入力される第３副画素４９Ｂ（ｐ，Ｖ）は、中間調の輝度で点灯させる。
【０１７９】
このように、境界部４６の画素４８（ｐ，Ｖ）の副画素である、第１副画素４９Ｒ（ｐ，Ｖ）、第２副画素４９Ｇ（ｐ，Ｖ）、及び第３副画素４９Ｂ（ｐ，Ｖ）に、中間調の輝度で点灯させる入力信号値ｘを入力することにより、第１副画素４９Ｒ（ｐ，Ｖ）、第２副画素４９Ｇ（ｐ，Ｖ）、及び第３副画素４９Ｂ（ｐ，Ｖ）を中間調で点灯させることができる。
【０１８０】
さらに、入力信号値ｘ１＿（ｐ，Ｖ）、入力信号値ｘ２＿（ｐ，Ｖ）、及び入力信号値ｘ３＿（ｐ，Ｖ）は、本来点灯される副画素及び消灯される副画素を考慮して、入力されることが好ましい。すなわち、第１副画素４９Ｒ（ｐ，Ｖ）では、本来全点灯、言い換えれば、入力信号値ｘ１＿（ｐ，Ｖ）「２５５」が入力される。第２副画素４９Ｇ（ｐ，Ｖ）では、本来消灯、言い換えれば、入力信号値ｘ２＿（ｐ，Ｖ）「０」が入力される。第３副画素４９Ｂ（ｐ，Ｖ）では、本来消灯、言い換えれば、入力信号値ｘ３＿（ｐ，Ｖ）「０」が入力される。これを鑑みて、本来入力される入力信号値ｘを考慮して、中間調で点灯させるための入力信号値ｘを入力することが好ましい。
【０１８１】
同様にして、図３１に示す例では、境界部４６の表示領域４５ｔ側第１副画素４９Ｒ（ｐ，Ｖ＋１）の入力信号値ｘ１＿（ｐ，Ｖ＋１）は６４、第２副画素４９Ｇ（ｐ，Ｖ＋１）の入力信号値ｘ２＿（ｐ，Ｖ＋１）は６４、第３副画素４９Ｂ（ｐ，Ｖ＋１）の入力信号値ｘ３＿（ｐ，Ｖ＋１）は２２０である。このように、境界部４６の表示領域４５ｔ側画素４８（ｐ，Ｖ＋１）の副画素である、第１副画素４９Ｒ（ｐ，Ｖ＋１）、第２副画素４９Ｇ（ｐ，Ｖ＋１）、及び第３副画素４９Ｂ（ｐ，Ｖ＋１）に、中間調の輝度で点灯する入力信号値ｘを入力することにより、第１副画素４９Ｒ（ｐ，Ｖ＋１）、第２副画素４９Ｇ（ｐ，Ｖ＋１）、及び第３副画素４９Ｂ（ｐ，Ｖ＋１）を中間調で点灯させることができる。
【０１８２】
以上のように、境界部４６の副画素４９を中間調で点灯させるため、境界部の輝度変化が緩和される。
【０１８３】
なお、図３１では、中間調の輝度で点灯させる入力信号値ｘを「２２０」「６４」としたが、これらは例示に過ぎない。入力信号値ｘは中間調の輝度で点灯させる値であればよい。
【０１８４】
ただし、実施の形態１及びその変形例１及び２で述べたように、本来全点灯する副画素の入力信号値ｘが、本来消灯する副画素の入力信号値ｘよりも大きくなるように信号値を設定することにより、境界部４６とそれ以外の表示領域との輝度差をさらに緩和させることができる。
【０１８５】
また、表示領域４５ｔ側の境界部４６に含まれない画素４８（ｐ，Ｖ＋２）では、入力信号値ｘ３＿（ｐ，Ｖ＋２）「２５５」が入力される第３副画素４９Ｂ（ｐ，Ｖ＋２）は、全点灯する。一方、入力信号値ｘ１＿（ｐ，Ｖ＋２）「０」が入力される第１副画素４９Ｒ（ｐ，Ｖ＋２）は、無点灯である。入力信号値ｘ２＿（ｐ，Ｖ＋２）「０」が入力される第２副画素４９Ｇ（ｐ，Ｖ＋２）は、無点灯である。
【０１８６】
以上図３１を用いて説明したように、境界部４６では、本来点灯しない副画素に中間調を表示する入力信号値が入力される。さらに本来全点灯する副画素にも、中間調を表示する入力信号値が入力される。これにより、境界部の輝度の変化、並びに、境界部と境界部以外の表示領域の輝度の変化が緩和され、スジが視認されることがなくなる。
【０１８７】
以上のようにして、表示画像の視認性を向上させることができる。
【０１８８】
なお、本変形例４では、表示領域４５ｓに赤色に表示させ、表示領域４５ｔに青色を表示させた例について述べたが、表示させる色を逆にしても同様の効果が得られる、すなわち、表示領域４５ｓを青色に表示させ、表示領域４５ｔに赤色を表示させた場合でも、スジの視認を解消し、表示画像の視認性を向上させることができる。さらに、上述したように、他の原色同士、原色の補色同士、及び、原色とその補色を表示させる場合についても同様である。
【０１８９】
特に、表示領域４５ｓ（上側）及び表示領域４５ｔ（下側）の組み合わせとして、赤色（Ｒ）及び青色（Ｂ）、青色（Ｂ）及び赤色（Ｒ）、青色（Ｂ）及び緑色（Ｂ）、緑色（Ｂ）及び青色（Ｂ）の組み合わせが、効果が顕著である。
【０１９０】
また本変形例は、実施の形態１で述べたように、３つ以上の表示領域を設けた場合にも適用可能である。
【０１９１】
また本変形例は、実施の形態１及びその変形例１乃至３、並びに、後述する他の実施の形態とも適用可能である。すなわち、単一色の表示領域は、平面視で上下左右に配置されていてもよく、境界部の画素を中間調で点灯させればよい。
【０１９２】
（実施の形態２）
実施の形態２では、単一色の表示領域を、複数隣り合って表示させる表示部において、隣り合う表示領域の境界部のうち、一つの表示領域のみに中間調を表示させる例について説明する。
【０１９３】
実施の形態２を、図１８、図１９を用いて説明する。
【０１９４】
実施の形態１では、境界部４６のうち、表示領域４５ａ側画素４８（Ｓ，ｑ）、及び、表示領域４５ｂ側画素４８（Ｓ＋１，ｑ）の両方を中間調で表示させる例を示した。本実施の形態２では、表示領域４５ａ側又は表示領域４５ｂ側の一方の画素を中間調で表示させ、他の一方の画素は、中間調で表示させず、本来の点灯及び消灯のままとする例を示す。
【０１９５】
図１８では、実施の形態１と同様に、単一色として赤色と緑色を隣り合って表示させる例を示す。図１８では、赤色を表示する表示領域４５ａ及び緑色を表示する表示領域４５ｂの境界部４６において、表示領域４５ａ側はＫ列目の画素４８（Ｋ，ｑ）、表示領域４５ｂ側は（Ｋ＋１）列目の画素４８（Ｋ＋１，ｑ）が隣り合っているものとする（ただし、Ｋは２以上かつ（Ｐ０−２）以下の整数）。
【０１９６】
境界部４６に含まれない画素４８について、表示領域４５ａでは、画素４８（１，ｑ）乃至画素４８（Ｋ−１，ｑ）では、第１副画素４９Ｒを全点灯させ、第２副画素４９Ｇ、第３副画素４９Ｂ、及び第４副画素４９Ｗは点灯させない。同様に、境界部４６に含まれない画素４８について、表示領域４５ｂでは、画素４８（Ｋ＋２，ｑ）乃至画素４８（Ｐ０，ｑ）では、第２副画素４９Ｇを全点灯させ、第１副画素４９Ｒ、第３副画素４９Ｂ、及び第４副画素４９Ｗは点灯させない。
【０１９７】
境界部４６では、表示領域４５ａ側の画素４８（Ｋ，ｑ）のみを中間調で点灯させ、表示領域４５ｂ側の画素４８（Ｋ＋１，ｑ）を境界部４６以外と同様に点灯させる。なお、中間調で点灯させる画素を、表示領域４５ｂ側画素４８（Ｋ＋１，ｑ）とし、境界部４６以外と同様に点灯させる画素を、表示領域４５ａ側の画素４８（Ｋ，ｑ）とする場合は、下記画素４８（Ｋ，ｑ）及び画素４８（Ｋ＋１，ｑ）を逆に読み替えればよい。
【０１９８】
例えば、境界部４６のｑ行目では、表示領域４５ａ側の画素４８（Ｋ，ｑ）の第２副画素４９Ｇ（Ｋ，ｑ）及び第３副画素４９Ｂ（Ｋ，ｑ）は、本来点灯しないが、これを中間調で点灯させる。
【０１９９】
さらに、表示領域４５ａ側の画素４８（Ｋ，ｑ）の第１副画素４９Ｒ（Ｋ，ｑ）は、本来全点灯するが、これを中間調で点灯させる。
【０２００】
一方、表示領域４５ｂ側の画素４８（Ｋ＋１，ｑ）は、境界部４６以外の画素４８と同様、第２副画素４９Ｇ（Ｋ＋１，ｑ）は全点灯させ、第１副画素４９Ｒ（Ｋ＋１，ｑ）及び第３副画素４９Ｂ（１，Ｋ＋１）は点灯させない。
【０２０１】
なお、図１８において、第４副画素４９Ｗは無点灯である。
【０２０２】
境界部４６の２画素分のうち１画素分（図１８では画素４８（Ｋ，ｑ））が中間調で点灯させる場合において、中間調で点灯される画素４８（Ｋ，ｑ）、及び、単一色（図１８では緑色）が点灯する画素４８（Ｋ＋１，ｑ）の輝度の差は小さい。よって、実施の形態２によっても、境界部４６の輝度変化を緩和させることが可能である。
【０２０３】
境界部４６の画素４８、並びに、境界部４６に含まれない画素であり、境界部４６に隣接する画素４８との間においても、輝度変化は緩和される。例えば、表示領域４５ａにおいて、境界部４６の画素４８（Ｋ，ｑ）と、画素４８（Ｋ，ｑ）に隣接する画素４８（Ｋ−１，ｑ）では、画素４８（Ｋ，ｑ）が中間調で点灯され、画素４８（Ｋ−１，ｑ）は単一色が点灯される。これにより、境界部４６とそれ以外の領域の輝度変化は緩和される。
【０２０４】
これにより、境界部４６における輝度の変化、並びに、境界部と境界部以外の表示領域の輝度の変化が緩和され、境界部のスジが視認されなくなる。
【０２０５】
このように、点灯していなかった副画素が中間調で点灯され、さらに全点灯していた副画素も中間調で点灯されるため、輝度の変化が緩和され、スジが視認されることがなくなる。以上のようにして、表示画像の視認性を向上させることができる。
【０２０６】
図１９は、図１８の境界部４６付近のｑ行目の画素の拡大図である。
【０２０７】
入力信号値ｘ１＿（Ｋ−１，ｑ）「２５５」が入力される第１副画素４９Ｒ（Ｋ−１，ｑ）は、全点灯する。一方、入力信号値ｘ２＿（Ｋ−１，ｑ）「０」が入力される第２副画素４９Ｇ（Ｋ−１，ｑ）は、無点灯である。入力信号値ｘ３＿（Ｋ−１，ｑ）「０」が入力される第３副画素４９Ｂ（Ｋ−１，ｑ）は、無点灯である。
【０２０８】
なお、図１９において、第４副画素４９Ｗは無点灯である。このため、任意の第４副画素４９Ｗ（ｐ，ｑ）に入力される入力信号値ｘ４＿（ｐ，ｑ）は０である。
【０２０９】
図１９に示す例では、境界部４６の表示領域４５ａ側の第１副画素４９Ｒ（Ｋ、ｑ）の入力信号値ｘ１＿（Ｋ，ｑ）は２２０、第２副画素４９Ｇ（Ｋ，ｑ）の入力信号値ｘ２＿（Ｋ，ｑ）は６４、第３副画素４９Ｂ（Ｋ，ｑ）の入力信号値ｘ３＿（Ｋ，ｑ）は６４である。入力信号値ｘ１＿（Ｋ，ｑ）「２２０」が入力される第１副画素４９Ｒ（Ｋ，ｑ）は、中間調の輝度で点灯させる。入力信号値ｘ２＿（Ｋ，ｑ）「６４」が入力される第２副画素４９Ｇ（Ｋ，ｑ）は、中間調の輝度で点灯させる。入力信号値ｘ３＿（Ｋ，ｑ）「６４」が入力される第３副画素４９Ｂ（Ｋ，ｑ）は、中間調の輝度で点灯させる。
【０２１０】
このように、境界部４６の画素４８（Ｋ，ｑ）の副画素である、第１副画素４９Ｒ（Ｋ，ｑ）、第２副画素４９Ｇ（Ｋ，ｑ）、及び第３副画素４９Ｂ（Ｋ，ｑ）に、中間調の輝度で点灯させる入力信号値ｘを入力することにより、第１副画素４９Ｒ（Ｋ，ｑ）、第２副画素４９Ｇ（Ｋ，ｑ）、及び第３副画素４９Ｂ（Ｋ，ｑ）を中間調で点灯させることができる。
【０２１１】
さらに、入力信号値ｘ１＿（Ｋ，ｑ）、入力信号値ｘ２＿（Ｋ，ｑ）、及び入力信号値ｘ３＿（Ｋ，ｑ）は、本来点灯される副画素及び消灯される副画素を考慮して、入力されることが好ましい。すなわち、第１副画素４９Ｒ（Ｋ，ｑ）では、本来全点灯、言い換えれば、入力信号値ｘ１＿（Ｋ，ｑ）「２５５」が入力される。第２副画素４９Ｇ（Ｋ，ｑ）では、本来消灯、言い換えれば、入力信号値ｘ２＿（Ｋ，ｑ）「０」が入力される。第３副画素４９Ｂ（Ｋ，ｑ）では、本来消灯、言い換えれば、入力信号値ｘ３＿（Ｋ，ｑ）「０」が入力される。これを鑑みて、本来入力される入力信号値ｘを考慮して、中間調で点灯させるための入力信号値ｘを入力することが好ましい。なお、本来消灯させる異なる色の副画素４９の入力信号値ｘは、同じであっても違っていてもよい。
【０２１２】
図１９に示す例では、境界部４６の表示領域４５ｂ側第１副画素４９Ｒ（Ｋ＋１，ｑ）の入力信号値ｘ１＿（Ｋ＋１，ｑ）は０、第２副画素４９Ｇ（Ｋ＋１，ｑ）の入力信号値ｘ２＿（Ｋ＋１，ｑ）は２５５、第３副画素４９Ｂ（Ｋ＋１，ｑ）の入力信号値ｘ３＿（Ｋ＋１，ｑ）は０である。
【０２１３】
以上のように、境界部４６の２画素分のうち１画素分が中間調で点灯させることにより、境界部の輝度変化を緩和させることが可能である。
【０２１４】
なお、図１９では、中間調の輝度で点灯させる入力信号値ｘを「２２０」「６４」としたが、これらは例示に過ぎない。入力信号値ｘは中間調の輝度で点灯させる値であればよい。
【０２１５】
ただし、実施の形態１及びその変形例１乃至３で述べたように、本来全点灯する副画素の入力信号値ｘが、本来消灯する副画素の入力信号値ｘよりも大きくなるように信号値を設定することにより、境界部４６とそれ以外の表示領域との輝度差をさらに緩和させることができる。
【０２１６】
また、表示領域４５ｂ側の境界部４６に含まれない画素４８（Ｋ＋２，ｑ）において、入力信号値ｘ１＿（Ｋ＋２，ｑ）、入力信号値ｘ２＿（Ｋ＋２，ｑ）、入力信号値ｘ３＿（Ｋ＋２，ｑ）は、入力信号値ｘ１＿（Ｋ＋１，ｑ）、入力信号値ｘ２＿（Ｋ＋１，ｑ）、入力信号値ｘ３＿（Ｋ＋１，ｑ）と同様である。
【０２１７】
以上図１９を用いて説明したように、境界部４６のうち１列分の画素では、本来点灯しない副画素４９に中間調を表示する入力信号値ｘが入力される。さらに本来全点灯する副画素４９にも、中間調を表示する入力信号値ｘが入力される。これにより、境界部４６の輝度の変化、並びに、境界部４６と境界部４６以外の表示領域の輝度の変化が緩和され、スジが視認されることがなくなる。
【０２１８】
さらに、境界部４６の当該中間調で点灯される列の画素４８において、本来全点灯する副画素４９に入力される入力信号値ｘを、本来点灯しない副画素４９に入力される入力信号値ｘよりも大きい信号値にすることが好ましい。このように入力信号値ｘを設定すると、境界部４６の当該中間調で点灯される列の画素４８とそれ以外の表示領域との輝度変化をさらに緩和させることができる。
【０２１９】
以上のようにして、表示画像の視認性を向上させることができる。
【０２２０】
なお、本実施の形態２では、実施の形態１及びその変形例１に示す原色である単一色を隣り合って表示させる場合、実施の形態１の変形例２に示す、原色の補色同士である単一色を隣り合って表示させる場合、実施の形態１の変形例３に示す、原色とその補色同士である単一色を隣り合って表示させる場合にも適用可能である。
【０２２１】
（実施の形態３）
実施の形態３では、単一色を隣り合って表示させる境界部において、本来全点灯させる副画素に加えて、白色を表示する副画素を点灯させる例について説明する。
【０２２２】
本実施の形態を、図２０、図２１を用いて説明する。
【０２２３】
図２０では、実施の形態１と同様に、単一色として赤色と緑色を隣り合って表示させる例を示す。図２０では、赤色を表示する表示領域４５ａ及び緑色を表示する表示領域４５ｂの境界部４６において、表示領域４５ａ側はＫ列目の画素４８（K，ｑ）、表示領域４５ｂ側は（Ｋ＋１）列目の画素４８（Ｋ＋１，ｑ）が隣り合っているものとする（ただし、Ｋは２以上かつ（Ｐ０−２）以下の整数）。
【０２２４】
本実施の形態では、境界部４６に含まれない画素４８について、表示領域４５ａでは、画素４８（１，ｑ）乃至画素４８（Ｋ−１，ｑ）では、第１副画素４９Ｒを全点灯させ、第２副画素４９Ｇ、第３副画素４９Ｂ、及び第４副画素４９Ｗは点灯させない。同様に、境界部４６に含まれない画素４８について、表示領域４５ｂでは、画素４８（Ｋ＋２，ｑ）乃至画素４８（Ｐ０，ｑ）では、第２副画素４９Ｇを全点灯させ、第１副画素４９Ｒ、第３副画素４９Ｂ、及び第４副画素４９Ｗは点灯させない。
【０２２５】
境界部４６では、表示領域４５ａ側の画素４８（Ｋ，ｑ）では、第１副画素４９Ｒ（Ｋ，ｑ）は全点灯させ、第４副画素４９Ｗ（Ｋ，ｑ）は中間調で点灯させる。なお、第２副画素４９Ｇ（Ｋ，ｑ）及び第３副画素４９Ｂ（Ｋ，ｑ）は点灯させない。
【０２２６】
同様に、境界部４６では、表示領域４５ｂ側の画素４８（Ｋ＋１，ｑ）では、第２副画素４９Ｇ（Ｋ＋１，ｑ）は全点灯させ、第４副画素４９Ｗ（Ｋ＋１，ｑ）は中間調で点灯させる。なお、第１副画素４９Ｒ（Ｋ＋１，ｑ）及び第３副画素４９Ｂ（Ｋ＋１，ｑ）は点灯させない。
【０２２７】
実施の形態１の図４乃至図６に示すように、単一色を表示する表示領域４５ａ及び４５ｂの間には黒いスジが発生する。そこで、本実施の形態で述べるように、黒いスジが発生する境界部４６の第４副画素４９Ｗを中間調で点灯することにより、境界部４６の輝度を上げることができる。これにより、黒いスジの発生が抑制され、表示画像の視認性を向上させることが可能である。
【０２２８】
図２１は、図２０の境界部４６付近のｑ行目の画素の拡大図である。
【０２２９】
入力信号値ｘ１＿（Ｋ−１，ｑ）「２５５」が入力される第１副画素４９Ｒ（Ｋ−１，ｑ）は、全点灯する。一方、入力信号値ｘ２＿（Ｋ−１，ｑ）「０」が入力される第２副画素４９Ｇ（Ｋ−１，ｑ）は、無点灯である。入力信号値ｘ３＿（Ｋ−１，ｑ）「０」が入力される第３副画素４９Ｂ（Ｋ−１，ｑ）は、無点灯である。入力信号値ｘ４＿（Ｋ−１，ｑ）「０」が入力される第４副画素４９Ｗ（Ｋ−１，ｑ）は、無点灯である。
【０２３０】
図２１に示す例では、境界部４６の表示領域４５ａ側の第１副画素４９Ｒ（Ｋ，ｑ）の入力信号値ｘ１＿（Ｋ，ｑ）は２５５、第２副画素４９Ｇ（Ｋ，ｑ）の入力信号値ｘ２＿（Ｋ，ｑ）は０、第３副画素４９Ｂ（Ｋ，ｑ）の入力信号値ｘ３＿（Ｋ，ｑ）は０、第４副画素４９Ｗ（Ｋ，ｑ）の入力信号値ｘ４＿（Ｋ，ｑ）は３２である。入力信号値ｘ４＿（Ｋ，ｑ）「３２」が入力される第４副画素４９Ｗ（Ｋ，ｑ）は、無点灯から全点灯の間である中間調の輝度で点灯させる。
【０２３１】
また、図２１に示す例では、境界部４６の表示領域４５ｂ側第１副画素４９Ｒ（Ｋ＋１，ｑ）の入力信号値ｘ１＿（Ｋ＋１，ｑ）は０、第２副画素４９Ｇ（Ｋ＋１，ｑ）の入力信号値ｘ２＿（Ｋ＋１，ｑ）は２５５、第３副画素４９Ｂ（Ｋ＋１，ｑ）の入力信号値ｘ３＿（Ｋ＋１，ｑ）は０、第４副画素４９Ｗ（Ｋ＋１，ｑ）の入力信号値ｘ４＿（Ｋ＋１，ｑ）は３２である。
【０２３２】
なお、図２１では、中間調の輝度で点灯させる入力信号値ｘを「３２」としたが、これらは例示に過ぎない。入力信号値ｘは中間調の輝度で点灯させる値であればよい。
【０２３３】
また、表示領域４５ｂ側の境界部４６に含まれない画素４８（Ｋ＋２，ｑ）において、第１副画素４９Ｒ（Ｋ＋２，ｑ）には、入力信号値ｘ１＿（Ｋ＋２，ｑ）「０」が入力され、消灯する。第２副画素４９Ｇ（Ｋ＋２，ｑ）には、入力信号値ｘ２＿（Ｋ＋２，ｑ）「２５５」が入力され、全点灯する。第３副画素４９Ｂ（Ｋ＋２，ｑ）には、入力信号値ｘ３＿（Ｋ＋２，ｑ）「０」が入力され、消灯する。第４副画素４９Ｗ（Ｋ＋２，ｑ）には、入力信号値ｘ４＿（Ｋ＋２，ｑ）「０」が入力され、消灯する。
【０２３４】
以上のようにして、本実施の形態により、スジの発生を抑制し、表示画像の視認性を向上させることができる。
【０２３５】
なお、本実施の形態３では、実施の形態１に示す原色である単一色を隣り合って表示させる場合、実施の形態１の変形例２に示す、原色の補色同士である単一色を隣り合って表示させる場合、実施の形態１の変形例３に示す、原色とその補色同士である単一色を隣り合って表示させる場合にも適用可能である。
【０２３６】
また、本実施の形態３を実施の形態２に適用することも可能である。すなわち、隣り合う単一色を表示する表示領域のいずれか一方のみにおいて、白色を表示する副画素を中間調で点灯させることによっても、スジの発生を抑制し、表示画像の視認性を向上させることができる。
【０２３７】
（実施の形態４）
実施の形態４では、単一色を隣り合って表示させる境界部において、白色を表示する副画素を点灯させる例について説明する。
【０２３８】
本実施の形態を、図２２、図２３を用いて説明する。
【０２３９】
図２２では、実施の形態１の変形例１と同様に、単一色として緑色と赤色を隣り合って表示させる例を示す。図２２では、緑色を表示する表示領域４５ｃ及び赤色を表示する表示領域４５ｄの境界部４６において、表示領域４５ｃ側はＬ列目の画素４８（Ｌ，ｊ）、表示領域４５ｄ側は（Ｌ＋１）列目の画素４８（Ｌ＋１，ｊ）が隣り合っているものとする（ただし、Ｌは２以上かつ（Ｐ０−２）以下の整数、またｊは（Ｑ０−１）以下の整数）。
【０２４０】
本実施の形態では、境界部４６に含まれない画素４８について、表示領域４５ｃでは、画素４８（１，ｊ）乃至画素４８（Ｌ−１，ｊ）では、第２副画素４９Ｇを全点灯させ、第１副画素４９Ｒ、第３副画素４９Ｂ、及び第４副画素４９Ｗは点灯させない。同様に、境界部４６に含まれない画素４８について、表示領域４５ｄでは、画素４８（Ｌ＋２，ｊ）乃至画素４８（Ｐ０，ｊ）では、第１副画素４９Ｒを全点灯させ、第２副画素４９Ｇ、第３副画素４９Ｂ、及び第４副画素４９Ｗは点灯させない。
【０２４１】
表示領域４５ｃ側の画素４８（Ｌ，ｊ）では、第４副画素４９Ｗ（Ｌ，ｊ）のみを中間調で点灯させ、第１副画素４９Ｒ（Ｌ，ｊ）、第２副画素４９Ｇ（Ｌ，ｊ）及び第３副画素４９Ｂ（Ｌ，ｊ）は点灯させない。
【０２４２】
同様に、境界部４６では、表示領域４５ｆ側の画素４８（Ｌ＋１，ｊ）では、第４副画素４９Ｗ（Ｌ＋１，ｊ）のみを中間調で点灯させ、第１副画素４９Ｒ（Ｌ＋１，ｊ）、第２副画素４９Ｇ（Ｌ＋１，ｊ）及び第３副画素４９Ｂ（Ｌ＋１，ｊ）は点灯させない。
【０２４３】
実施の形態１の図７乃至図９に示すように、単一色を表示する表示領域４５ｃ及び４５ｄの間には明るいスジが発生する。そこで、本実施の形態で述べるように、当該単一色を表示する副画素を含む第１副画素４９Ｒ乃至第３副画素４５Ｂを点灯しない。その代わりに、輝度を補填するために、白色を表示する第４副画素４９Ｗを中間調で点灯する。
【０２４４】
以上、本実施の形態により、スジの発生が抑制され、表示画像の視認性を向上させることが可能である。
【０２４５】
図２３は、図２２の境界部４６付近のｊ行目の画素の拡大図である。
【０２４６】
入力信号値ｘ２＿（Ｌ−１，ｊ）「２５５」が入力される第２副画素４９Ｇ（Ｌ−１，ｊ）は、全点灯する。一方、入力信号値ｘ１＿（Ｌ−１，ｊ）「０」が入力される第１副画素４９Ｒ（Ｌ−１，ｊ）は、無点灯である。入力信号値ｘ３＿（Ｌ−１，ｊ）「０」が入力される第３副画素４９Ｂ（Ｌ−１，ｊ）は、無点灯である。入力信号値ｘ４＿（Ｌ−１，ｊ）「０」が入力される第４副画素４９Ｗ（Ｌ−１，ｊ）は、無点灯である。
【０２４７】
図２３に示す例では、境界部４６の表示領域４５ｃ側の第１副画素４９Ｒ（Ｌ，ｊ）の入力信号値ｘ１＿（Ｌ，ｊ）は０、第２副画素４９Ｇ（Ｌ，ｊ）の入力信号値ｘ２＿（Ｌ，ｊ）は０、第３副画素４９Ｂ（Ｌ，ｊ）の入力信号値ｘ３＿（Ｌ，ｊ）は０、第４副画素４９Ｗ（Ｌ，ｊ）の入力信号値ｘ４＿（Ｌ，ｊ）は３２である。入力信号値ｘ４＿（Ｌ，ｊ）「３２」が入力される第４副画素４９Ｗ（Ｌ，ｊ）は、中間調の輝度で点灯される。
【０２４８】
また、図２３に示す例では、境界部４６の表示領域４５ｄ側第１副画素４９Ｒ（Ｌ＋１，ｊ）の入力信号値ｘ１＿（Ｌ＋１，ｊ）は０、第２副画素４９Ｇ（Ｌ＋１，ｊ）の入力信号値ｘ２＿（Ｌ＋１，ｊ）は０、第３副画素４９Ｂ（Ｌ＋１，ｊ）の入力信号値ｘ３＿（Ｌ＋１，ｊ）は０、第４副画素４９Ｗ（Ｌ＋１，ｊ）の入力信号値ｘ４＿（Ｌ＋１，ｊ）は３２である。
【０２４９】
なお、図２３では、中間調の輝度で点灯させる入力信号値ｘを「３２」としたが、これらは例示に過ぎない。入力信号値ｘは中間調の輝度で点灯させる値であればよい。
【０２５０】
また、表示領域４５ｄ側の境界部４６に含まれない画素４８（Ｌ＋２，ｊ）において、第１副画素４９Ｒ（Ｌ＋２，ｊ）には、入力信号値ｘ１＿（Ｌ＋２，ｊ）「２５５」が入力され、全点灯する。第２副画素４９Ｇ（Ｌ＋２，ｊ）には、入力信号値ｘ２＿（Ｌ＋２，ｊ）「０」が入力され、消灯する。第３副画素４９Ｂ（Ｌ＋２，ｊ）には、入力信号値ｘ３＿（Ｌ＋２，ｊ）「０」が入力され、消灯する。第４副画素４９Ｗ（Ｌ＋２，ｊ）には、入力信号値ｘ４＿（Ｌ＋２，ｊ）「０」が入力され、消灯する。
【０２５１】
以上のようにして、本実施の形態により、スジの発生を抑制し、表示画像の視認性を向上させることができる。
【０２５２】
なお、本実施の形態４では、実施の形態１の変形例１に示す原色である単一色を隣り合って表示させる場合、実施の形態１の変形例２に示す、原色の補色同士である単一色を隣り合って表示させる場合、実施の形態１の変形例３に示す、原色とその補色同士である単一色を隣り合って表示させる場合にも適用可能である。
【０２５３】
また、本実施の形態４を実施の形態２に適用することも可能である。すなわち、隣り合う単一色を表示する表示領域のいずれか一方のみにおいて、白色を表示する副画素を中間調で点灯させることによっても、スジの発生を抑制し、表示画像の視認性を向上させることができる。
【０２５４】
（実施の形態４の変形例）
実施の形態４の変形例では、単一色を隣り合って表示させる境界部において、副画素の並び順を入れ替え、当該入れ替えた副画素のうち、白色を表示する副画素を点灯させる例について説明する。
【０２５５】
本実施の形態を、図２４、図３２を用いて説明する。
【０２５６】
図２４に示すように、本変形例では、境界部４６以外の領域では、画素４８内の左上、右上、左下、右下の順に、第１副画素４９Ｒ、第２副画素４９Ｇ，第３副画素４９Ｂ、第４副画素４９Ｗが配置される。本変形例では、境界部４６の画素４８内の副画素を、左上、右上、左下、右下の順に、第２副画素４９Ｇ，第１副画素４９Ｒ、第４副画素４９Ｗ、第３副画素４９Ｂに配置する。すなわち、境界部４６の画素４８（Ｌ，ｊ）及び画素４８（Ｌ＋１，ｊ）では、副画素の配置を、境界部４６以外の画素４８と逆に配置する。
【０２５７】
図３２は、図２４の境界部４６付近のｊ行目の画素の拡大図である。それぞれの副画素４９に入力される入力信号値ｘは、図２４と同様である。
【０２５８】
本変形例により、第４副画素４９Ｗを分散して配置することによって、第４副画素４９Ｗの白色が強調されない。
【０２５９】
以上のようにして、本変形例により、スジの発生を抑制し、表示画像の視認性を向上させることができる。
【０２６０】
なお、本実施の形態４の変形例では、実施の形態１の変形例１に示す原色である単一色を隣り合って表示させる場合、実施の形態１の変形例２に示す、原色の補色同士である単一色を隣り合って表示させる場合、実施の形態１の変形例３に示す、原色とその補色同士である単一色を隣り合って表示させる場合にも適用可能である。
【０２６１】
また、本実施の形態４の変形例を実施の形態２に適用することも可能である。すなわち、隣り合う単一色を表示する表示領域のいずれか一方のみにおいて、白色を表示する副画素を中間調で点灯させることによっても、スジの発生を抑制し、表示画像の視認性を向上させることができる。
【０２６２】
（実施の形態５）
実施の形態５では、実施の形態１及びその変形例、並びに、実施の形態３乃至４のスクエア画素に代えて、異なる形状の画素を用いた例について説明する。
【０２６３】
本実施の形態を、図２５、図２６を用いて説明する。
【０２６４】
図２５に本実施の形態の画素４８の形状を示す。Ｆ列目ｒ行目の画素４８（Ｆ，ｒ）には、左上、左下、右の順に、第１副画素４９Ｒ（Ｆ，ｒ）、第２副画素４９Ｇ（Ｆ，ｒ）、第３副画素４９Ｂ（Ｆ，ｒ）が配置される（ただし、Ｆは１以上の奇数かつ（Ｐ０−１）以下の整数、ｒは２以上かつ（Ｑ０−２）以下の整数）。第３副画素４９Ｂ（Ｆ，ｒ）の面積は、第１副画素４９Ｒ（Ｆ，ｒ）及び第２副画素４９Ｇ（Ｆ，ｒ）の合計の面積と同じである。
【０２６５】
任意の画素４８（Ｆ，ｒ）に隣接する、（Ｆ＋１）列目の画素４８（Ｆ＋１，ｒ）には、左上、左下、右の順に、第１副画素４９Ｒ（Ｆ＋１，ｒ）、第２副画素４９Ｇ（Ｆ＋１，ｒ）、第４副画素４９Ｗ（Ｆ＋１，ｒ）が配置される。第４副画素４９Ｗ（Ｆ＋１，ｒ）の面積は、第１副画素４９Ｒ（Ｆ＋１，ｒ）及び第２副画素４９Ｇ（Ｆ＋１，ｒ）の合計の面積と同じである。
【０２６６】
任意の画素４８（Ｆ，ｒ）に隣接する、（ｒ＋１）行目の画素４８（Ｆ，ｒ＋１）における副画素の配置は、画素４８（Ｆ＋１，ｒ）と同じである。すなわち、画素４８（Ｆ，ｒ＋１）には、左上、左下、右の順に、第１副画素４９Ｒ（Ｆ，ｒ＋１）、第２副画素４９Ｇ（Ｆ，ｒ＋１）、第４副画素４９Ｗ（Ｆ，ｒ＋１）が配置される。第４副画素４９Ｗ（Ｆ，ｒ＋１）の面積は、第１副画素４９Ｒ（Ｆ，ｒ＋１）及び第２副画素４９Ｇ（Ｆ，ｒ＋１）の合計の面積と同じである。
【０２６７】
以上のように、本実施の形態の画素４８は、第１副画素４９Ｒ及び第２副画素４９Ｇの面積を合計した面積を有する、第３副画素４９Ｂ又は第４副画素４９Ｗを有している。より具体的には、第１副画素４９Ｒ及び第２副画素４９Ｇは同一形状同一面積であり、第３副画素４９Ｂ又は第４副画素４９Ｗのそれぞれは、第１副画素４９Ｒ及び第２副画素４９Ｇを平面視で縦に２つ並んで配置した形状を有している。当該第３副画素４９Ｂ及び第４副画素４９Ｗは、各画素行及び各画素列で交互に配置されている。または、当該第３副画素４９Ｂ及び第４副画素４９Ｗは、互いに異なる色が隣り合っているとも言える。本実施の形態の画素形状を、変形スクエア画素と呼ぶこととする。
【０２６８】
図２５において、表示部４３に、異なる単一色の表示領域４５ｍ及び４５ｎを隣り合って表示させた場合が示されている。図２５においては、例えば、表示領域４５ｍでは赤色を表示させ、表示領域４５ｎでは青色を表示させる。
【０２６９】
図２５における表示部４３では、表示領域４５ｍの画素４８（１，ｒ）乃至画素４８（Ｆ，ｒ）においては、第１副画素４９Ｒを全点灯させ、第２副画素４９Ｇ、第３副画素４９Ｂ，第４副画素４９Ｗは点灯させない。また、表示領域４５ｎの画素４８（Ｆ＋１，ｒ）乃至画素４８（Ｐ０，ｒ）においては、第３副画素４９Ｂを全点灯させ、第１副画素４９Ｒ，第２副画素４９Ｇ、第４副画素４９Ｗは点灯させない。
【０２７０】
上記のように副画素を点灯すると、図４乃至図６で説明したのと同様に、境界部４６で黒いスジが発生する恐れが生じる。
【０２７１】
このようなスジの発生は、実施の形態１及びその変形例、並びに、実施の形態２乃至４を適用することで、抑制することが可能である。
【０２７２】
図２６に、図２５に実施の形態１を適用した例を示す。図２６において、境界部４６の表示領域４５ｍ側画素４８及び表示領域４５ｎ側画素４８における、第１副画素４９Ｒ、第２副画素４９Ｇ、第３副画素４９Ｂは中間調で点灯され、第４副画素４９Ｗは点灯されない。
【０２７３】
ただし、中間調で点灯される第１副画素４９Ｒ、第２副画素４９Ｇ、第３副画素４９Ｂには、本来点灯及び消灯に応じた輝度で点灯される。例えば、図２６のｒ行目では、表示領域４５ｍ側画素４８（Ｆ，ｒ）では、本来全点灯する第１副画素４９Ｒ（Ｆ，ｒ）に入力される入力信号値ｘを、本来消灯する第２副画素４９Ｇ（Ｆ，ｒ）及び第２副画素４９Ｂ（Ｆ，ｒ）に入力される入力信号値ｘよりも大きな値に設定することにより、本来の点灯及び消灯に応じた輝度で点灯することができる。
【０２７４】
同様に、例えば、図２６の（ｒ＋１）行目では、表示領域４５ｍ側画素４８（Ｆ，ｒ＋１）では、本来全点灯する第１副画素４９Ｒ（Ｆ，ｒ＋１）に入力される入力信号値ｘを、本来消灯する第２副画素４９Ｇ（Ｆ，ｒ＋１）に入力される入力信号値ｘよりも大きな値に設定することにより、本来の点灯及び消灯に応じた輝度で点灯することができる。
【０２７５】
また、本実施の形態５は、実施の形態１の変形例１乃至３、並びに、実施の形態２乃至４に適用することも可能である。
【０２７６】
（実施の形態６）
本実施の形態６では、実施の形態１及びその変形例、実施の形態３乃至４のスクエア画素、実施の形態５の変形スクエア画素に代えて、異なる形状の画素を用いた例について説明する。
【０２７７】
本実施の形態を、図２７、図２８を用いて説明する。
【０２７８】
図２７に本実施の形態の画素４８の形状を示す。Ｅ列目ｕ行目の任意の画素４８（Ｅ，ｕ）には、同形状かつ等しい面積を有する、第１副画素４９Ｒ（Ｅ，ｕ）、第２副画素４９Ｇ（Ｅ，ｕ）、第３副画素４９Ｂ（Ｅ，ｕ）、第４副画素４９Ｗ（Ｅ，ｕ）が、左右に並んで配置される（ただし、Ｅは（Ｐ０−１）以下の整数、ｕは（Ｑ０−１）以下の整数）。本実施の形態の画素形状を、ストライプ画素と呼ぶこととする。
【０２７９】
図２７に、表示部４３に、異なる単一色の表示領域４５ａ及び４５ｂを左右に隣り合って表示させた場合を示す。図２７においては、例えば、表示領域４５ａでは赤色を表示させ、表示領域４５ｂでは緑色を表示させる。
【０２８０】
図２７における表示部４３では、表示領域４５ａの画素４８（１，ｕ）乃至画素４８（Ｅ，ｕ）においては、第１副画素４９Ｒを全点灯させ、第２副画素４９Ｇ、第３副画素４９Ｂ，第４副画素４９Ｗは点灯させない。また、表示領域４５ｂの画素４８（Ｅ＋１，ｕ）乃至画素４８（Ｐ０，ｕ）においては、第２副画素４９Ｇを全点灯させ、第１副画素４９Ｒ，第３副画素４９Ｂ，第４副画素４９Ｗは点灯させない。
【０２８１】
上記のように副画素を点灯すると、隣り合う表示領域４５ａ及び４５ｂの境界部４６で黒いスジが発生する恐れが生じる。
【０２８２】
このようなスジの発生は、実施の形態１及びその変形例、並びに、実施の形態２乃至５を適用することで、抑制することが可能である。
【０２８３】
図２８に、図２７に実施の形態１を適用した例を示す。図２８において、境界部４６の表示領域４５ａ側画素４８及び表示領域４５ｂ側画素４８における、第１副画素４９Ｒ、第２副画素４９Ｇ、第３副画素４９Ｂは中間調で点灯され、第４副画素４９Ｗは点灯されない。
【０２８４】
ただし、中間調で点灯される第１副画素４９Ｒ、第２副画素４９Ｇ、第３副画素４９Ｂには、本来点灯及び消灯に応じた輝度で点灯される。例えば、図２８のｕ行目では、表示領域４５ａ側画素４８（Ｅ，ｕ）では、本来全点灯する第１副画素４９Ｒ（Ｅ，ｕ）に入力される入力信号値ｘを、本来消灯する第２副画素４９Ｇ（Ｅ，ｕ）及び第２副画素４９Ｂ（Ｅ，ｕ）に入力される入力信号値ｘよりも大きな値に設定することにより、本来の点灯及び消灯に応じた輝度で点灯することができる。
【０２８５】
同様に、例えば、図２８の（Ｅ＋１）列目では、表示領域４５ｂ側画素４８（Ｅ＋１，ｕ）では、本来全点灯する第２副画素４９Ｇ（Ｅ＋１，ｕ）に入力される入力信号値ｘを、本来消灯する第１副画素４９Ｒ（Ｅ＋１，ｕ）及び第２副画素４９Ｂ（Ｅ＋１，ｕ）に入力される入力信号値ｘよりも大きな値に設定することにより、本来の点灯及び消灯に応じた輝度で点灯することができる。
【０２８６】
また、本実施の形態５は、実施の形態１の変形例１乃至３、並びに、実施の形態２乃至４に適用することも可能である。
【０２８７】
また、本発明は、以下のように記載することができる。
【０２８８】
（１）開示される発明の一態様は、
複数の画素を有する表示部と、
前記複数の画素のそれぞれに設けられた、第１色の第１副画素、第２色の第２副画素、第３色の第３副画素、及び、第４色の第４副画素のうち、少なくとも３つと、
前記第１副画素乃至第４副画素に入力信号を入力する制御部と、
を有し、
前記制御部は、前記表示部に、単一色の表示領域を複数隣り合って表示させる場合に、前記隣り合う表示領域の境界部に含まれる画素では、前記単一色に寄与しない副画素を中間調で点灯させるための信号を入力する、表示装置、に関する。
【０２８９】
（２）開示される発明の一態様は、前記制御部は、前記隣り合う表示領域の境界部に含まれる画素では、前記単一色に寄与する副画素を中間調で点灯させるための信号を入力する、（１）に記載の表示装置、に関する。
【０２９０】
（３）開示される発明の一態様は、前記制御部は、前記隣り合う表示領域の境界部に含まれる画素では、前記単一色に寄与する副画素を全点灯させ、前記単一色に寄与しない、白色を表示する副画素を中間調で点灯させるための信号を入力する、（１）に記載の表示装置、に関する。
【０２９１】
（４）開示される発明の一態様は、前記隣り合う表示領域の境界部のうち、一つの表示領域のみの副画素に中間調を点灯させるための信号を入力する、（１）乃至（３）のいずれか一項に記載の表示装置、に関する。
【０２９２】
（５）開示される発明の一態様は、前記複数の表示領域が表示する単一色は原色である、（１）乃至（４）のいずれか一項に記載の表示装置、に関する。
【０２９３】
（６）開示される発明の一態様は、前記複数の表示領域が表示する単一色は原色の補色である、（１）乃至（４）のいずれか一項に記載の表示装置、に関する。
【０２９４】
（７）開示される発明の一態様は、前記複数の表示領域が表示する単一色は原色及びその補色である、（１）乃至（４）のいずれか一項に記載の表示装置、に関する。
【０２９５】
（８）開示される発明の一態様は、前記境界部は、隣の表示領域に一番近い画素行又は画素列である、（１）乃至（７）のいずれか一項に記載の表示装置、に関する。
【符号の説明】
【０２９６】
１０    表示装置
２０    制御部
３０    画像表示パネル駆動部
３１    信号線駆動回路
３２    走査線駆動回路
４０    画像表示パネル
４１    スジ
４２    スジ
４３    表示部
４５ａ    表示領域
４５ｂ    表示領域
４５ｃ    表示領域
４５ｄ    表示領域
４５ｅ    表示領域
４５ｆ    表示領域
４５ｊ    表示領域
４５ｋ    表示領域
４５ｍ    表示領域
４５ｎ    表示領域
４５ｓ    表示領域
４５ｔ    表示領域
４６    境界部
４８    画素
４９    副画素
４９Ｒ    第１副画素
４９Ｇ    第２副画素
４９Ｂ    第３副画素
４９Ｗ    第４副画素
５０    光源駆動部
６０    光源部
ＤＴＬ    信号線
ＳＢＬ    光源駆動信号
ＳＣＬ    走査線
ｘ    入力信号値
【図１】
2017181983.tif 000003
【図２】
2017181983.tif 000004
【図３】
2017181983.tif 000005
【図４】
2017181983.tif 000006
【図５】
2017181983.tif 000007
【図６】
2017181983.tif 000008
【図７】
2017181983.tif 000009
【図８】
2017181983.tif 000010
【図９】
2017181983.tif 000011
【図１０】
2017181983.tif 000012
【図１１】
2017181983.tif 000013
【図１２】
2017181983.tif 000014
【図１３】
2017181983.tif 000015
【図１４】
2017181983.tif 000016
【図１５】
2017181983.tif 000017
【図１６】
2017181983.tif 000018
【図１７】
2017181983.tif 000019
【図１８】
2017181983.tif 000020
【図１９】
2017181983.tif 000021
【図２０】
2017181983.tif 000022
【図２１】
2017181983.tif 000023
【図２２】
2017181983.tif 000024
【図２３】
2017181983.tif 000025
【図２４】
2017181983.tif 000026
【図２５】
2017181983.tif 000027
【図２６】
2017181983.tif 000028
【図２７】
2017181983.tif 000029
【図２８】
2017181983.tif 000030
【図２９】
2017181983.tif 000031
【図３０】
2017181983.tif 000032
【図３１】
2017181983.tif 000033
【図３２】
2017181983.tif 000034